(57)【要約】無線通信システムにおける割当てに関する方法および装置が記載される。モバイルは、識別子およびマスク値を、例えば状態遷移メッセージの一部として割り当てられる。該モバイルは、割当てメッセージ、例えばトラヒックチャンネル割当てメッセージに含められた割当てが当該無尖端圧に向けられるかどうかを決定する際に、該割当てられた識別子および／または割当てられたマスク値を使用する。割当てられたスロット、割当てられたセグメント、および／またはマスク値の間の予め定められた関連は、制御信号オーバーヘッドを制限するために利用される。異なる端末へのマスク値の関数としての割当てのために、異なる群の割当てが利用可能である。異なるタイプの割当てメッセージは、該割当てを運ぶために異なる量の情報ビットを使用する。幾つかのタイプの割り当ては、無線端末識別子を使用するのに対して、他のタイプの割り当ては無線端末識別子およびマスク識別子を使用する。このマスク識別子、例えば単一のビットは、該システムにおいて使用される潜在的なマスクの副組の間での選択を可能にする。【選択図】図１
2009544235.tif 000002
【特許請求の範囲】
【請求項１】
基地局を動作させる方法であって：
基地局割当ての無線端末識別子および対応するマスク値を無線端末へと通信し、前記マスク値は情報ビットの第一の数によって表されることと；
第一のタイプの割当てメッセージを前記無線端末へと通信し、前記第一のタイプの割当てメッセージは前記無線端末識別子およびマスク識別子値を含んでいること
を含んでなる方法。
【請求項２】
請求項１に記載の方法であって、前記マスク識別子値は情報ビットの第二の数によって表され、該第二の数は前記第一の数よりも小さい方法。
【請求項３】
請求項１に記載の方法であって、更に、
前記第二のタイプの割当てメッセージを前記無線端末へと通信し、前記第二のタイプの割当てメッセージは前記無線端末識別子を含むが、マスク識別子値は含まない方法。
【請求項４】
請求項３に記載の方法であって、前記第一のタイプの割当てメッセージは前記第二のタイプの割当てメッセージよりも低い電力レベルで送信される方法。
【請求項５】
請求項３に記載の方法であって、前記第一のタイプの割当てメッセージは複数のトラヒックチャンネルセグメントのための割当てを運び、該複数の割当ての一つは前記無線端末識別子および前記マスク識別子値によって運ばれ、また前記第二のタイプの割当てメッセージは単一のトラヒックチャンネルセグメントのための割当てを運ぶ方法。
【請求項６】
請求項３に記載の方法であって、前記第一および第二のタイプの割当てメッセージはトラヒックチャンネル割当てメッセージである方法。
【請求項７】
請求項１に記載の方法であって、前記マスク値は、前記無線端末に割当てられ得る再帰トラヒックチャンネル構造における潜在的トラヒックチャンネルセグメントを同定する方法。
【請求項８】
請求項７に記載の方法であって、前記マスク値が第一の予め定められたパターンに一致すれば、前記再帰トラヒックチャンネル構造における一組のトラヒックチャンネルセグメントからの何れかのトラヒックチャンネルセグメントが前記無線端末に割当てられてよく、また前記マスク値が第二の予め定められたパターンに一致すれば、前記一組のトラヒックチャンネルセグメントの第一の予め定められた副組が前記無線端末に割当てられてよく、また前記マスクが第三の予め定められたパターンに一致すれば、前記一組のトラヒックチャンネルセグメントの第二の予め定められた副組が前記無線端末に割当てられてよい方法。
【請求項９】
請求項８に記載の方法であって、前記第一の予め定められた副組および前記第二の予め定められた副組は部分的に重なっている方法。
【請求項１０】
請求項８に記載の方法であって、前記マスク値が第四の予め定められたパターンに一致するならば、前記一組のトラヒックチャンネルセグメントの第三の予め定められた副組が前記無線端末に割当てられてよく、前記第三の予め定められた副組は前記第一および第二の予め定められた副組と部分的に重なる方法。
【請求項１１】
請求項１に記載の方法であって、前記マスク識別子値は単一の情報ビットによって表され、該単一のビットは前記割当てと関連付けられ得る二つの潜在的なマスク値の間を識別する方法。
【請求項１２】
請求項１に記載の方法であって、更に、前記基地局割当ての無線端末識別子および異なる対応のマスク値を第二の無線端末に通信することを含んでなり、前記無線端末および前記第二の無線端末は、並行して行われるセグメント割当て復旧同定動作のために使用されるべき同じ基地局割当ての無線端末識別子を割当てられる方法。
【請求項１３】
基地局において：
無線端末に向けられるメッセージ情報を発生するための無線端末制御メッセージ発生モジュールであって、前記メッセージ情報は、基地局割当ての無線端末識別子および対応するマスク値を含んでいるモジュールと；
前記無線端末識別子およびマスク識別子値を含む第一のタイプの割当てメッセージを発生するための、第一のタイプの割当てメッセージ発生モジュールと；
前記無線端末制御メッセージ情報および前記第一のタイプの割当てメッセージを送信するための送信機
を含んでなる基地局。
【請求項１４】
請求項１３に記載の基地局であって、
前記マスク値は情報ビットの第一の数によって表され、
前記マスク識別子値は情報ビットの第二の数によって表され、該第二の数は前記第一の数よりも小さい基地局。
【請求項１５】
請求項１３に記載の基地局であって、更に、
第二のタイプの割り当てメッセージを発生するための第二のタイプの割り当てメッセージ発生モジュールを含んでなり、該第二のタイプの割当てメッセージは、前記無線端末識別子を含むがマスク識別子値を含まない基地局。
【請求項１６】
請求項１５に記載の基地局であって、更に、
前記第一のタイプの割当てメッセージが前記第二のタイプの割当てメッセージよりも低い電力レベルで送信されるように、前記第一のタイプの割り当てメッセージおよび前記第二のタイプの割り当てメッセージの相対的送信電力レベルを制御するための電力レベル制御モジュールを含んでなる基地局。
【請求項１７】
請求項１５に記載の基地局であって、前記第一のタイプの割当てメッセージは複数のトラヒックチャンネルセグメントのための割当てを運び、該複数の割当てのうちの一つは前記無線端末識別子および前記マスク識別子値によって運ばれ、また前記第二のタイプの割当てメッセージは単一のトラヒックチャンネルセグメントのための割当てを運ぶ基地局。
【請求項１８】
請求項１５に記載の基地局であって、前記第一および第二のタイプの割当てメッセージはトラヒックチャンネル割当てメッセージである基地局。
【請求項１９】
請求項１３に記載の基地局であって、更に、
トラヒックチャンネル構造を定義する保存されたトラヒックチャンネル構造情報を含んでなり、
前記マスク値識別子は、前記無線端末に割当てられ得る前記再帰トラヒックチャンネル構造における潜在的なトラヒックチャンネルセグメントを同定する基地局。
【請求項２０】
請求項１９に記載の基地局であって、前記マスク値が第一の予め定められたパターンに一致すれば、前記再帰トラヒックチャンネル構造における一組のトラヒックチャンネルセグメントからの何れかのトラヒックチャンネルセグメントが前記無線端末に割当てられてよく、また前記マスク値が第二の予め定められたパターンに一致すれば、前記一組のトラヒックチャンネルセグメントの第一の予め定められた副組が前記無線端末に割当てられてよく、また前記マスクが第三の予め定められたパターンに一致すれば、前記一組のトラヒックチャンネルセグメントの第二の予め定められた副組が前記無線端末に割当てられてよい基地局。
【請求項２１】
請求項２０に記載の基地局であって、前記第一の予め定められた副組および前記第二の予め定められた副組が部分的に重なっている基地局。
【請求項２２】
請求項２０に記載の基地局であって、前記マスク値が第四の予め定められたパターンに一致するならば、前記一組のトラヒックチャンネルセグメントの第三の予め定められた副組が前記無線端末に割当てられてよく、前記第三の予め定められた副組は前記第一および第二の予め定められた副組と部分的に重なる基地局。
【請求項２３】
請求項１３に記載の基地局であって、前記マスク識別子値は単一の情報ビットによって表され、該単一のビットは前記割当てと関連付けられ得る二つの潜在的なマスク値の間を識別する方法。
【請求項２４】
請求項１３に記載の基地局であって、前記無線端末制御メッセージ発生モジュールは更に、同じ基地局割当ての無線端末識別子および異なる対応のマスク値を含む第二の無線端末に向けられるメッセージ情報を発生し、前記無線端末および前記第二の無線端末は、並行して行われるセグメント割当て復旧同定動作のために使用されるべき同じ基地局割当ての無線端末識別子を割当てられる基地局。
【請求項２５】
基地局において：
無線端末に向けられるメッセージ情報を発生するための手段であって、前記メッセージ情報は、基地局割当ての無線端末識別子および対応するマスク値を含んでいる手段と；
前記無線端末識別子およびマスク識別子値を含む第一のタイプの割当てメッセージを発生するための、第一のタイプの割当てメッセージ発生手段と；
前記無線端末制御メッセージ情報および前記第一のタイプの割当てメッセージを送信するための手段
を含んでなる基地局。
【請求項２６】
請求項２５に記載の基地局であって、
前記マスク値は情報ビットの第一の数によって表され、
前記マスク識別子値は情報ビットの第二の数によって表され、該第二の数は前記第一の数よりも小さい基地局。
【請求項２７】
請求項２５に記載の基地局であって、更に、
第二のタイプの割り当てメッセージを発生するための第二のタイプの割り当てメッセージ発生手段を含んでなり、該第二のタイプの割当てメッセージは前記無線端末識別子を含むが、マスク識別子値を含まない基地局。
【請求項２８】
請求項２７に記載の基地局であって、更に、
前記第一のタイプの割当てメッセージが前記第二のタイプの割当てメッセージよりも低い電力レベルで送信されるように、前記第一のタイプの割り当てメッセージおよび前記第二のタイプの割り当てメッセージの相対的送信電力レベルを制御するための電力レベル制御手段を含んでなる基地局。
【請求項２９】
請求項２７に記載の基地局であって、前記第一のタイプの割当てメッセージは複数のトラヒックチャンネルセグメントのための割当てを運び、該複数の割当てのうちの一つは前記無線端末識別子および前記マスク識別子値によって運ばれ、また前記第二のタイプの割当てメッセージは単一のトラヒックチャンネルセグメントのための割当てを運ぶ基地局。
【請求項３０】
請求項２７に記載の基地局であって、前記第一および第二のタイプの割当てメッセージはトラヒックチャンネル割当てメッセージである基地局。
【請求項３１】
請求項２５に記載の基地局であって、更に、
再帰トラヒックチャンネル構造を定義する保存されたトラヒックチャンネル構造情報を保存するための手段を含んでなり、
前記マスク値識別子は、前記無線端末に割当てられ得る前記再帰トラヒックチャンネル構造における潜在的なトラヒックチャンネルセグメントを同定する基地局。
【請求項３２】
基地局を動作させる方法を実施するための機械で実行可能な命令を組み入れたコンピュータ読取り可能な媒体であって：前記方法は、
基地局割当ての無線端末識別子および対応するマスク値を無線端末へと通信し、前記マスク値は情報ビットの第一の数によって表されることと；
第一のタイプの割当てメッセージを前記無線端末へと通信し、前記第一のタイプの割当てメッセージは前記無線端末識別子およびマスク識別子値を含んでいること
を含んでなる媒体。
【請求項３３】
請求項３２に記載のコンピュータ読取り可能な媒体であって、前記マスク識別子値は情報ビットの第二の数によって表され、該第二の数は前記第一の数よりも小さい媒体。
【請求項３４】
請求項３２に記載のコンピュータ読取り可能な媒体であって、更に、
前記第二のタイプの割当てメッセージを前記無線端末へと通信し、前記第二のタイプの割当てメッセージは前記無線端末識別子を含むが、マスク識別子値は含まない追加のステップ
を実行するように、基地局を制御するための機械で実行可能な命令を含んでなる媒体。
【請求項３５】
請求項３４に記載のコンピュータ読取り可能な媒体であって、前記第一のタイプの割当てメッセージは前記第二のタイプの割当てメッセージよりも低い電力レベルで送信される媒体。
【請求項３６】
請求項３４に記載のコンピュータ読取り可能な媒体であって、前記第一のタイプの割当てメッセージは複数のトラヒックチャンネルセグメントのための割当てを運び、該複数の割当ての一つは前記無線端末識別子および前記マスク識別子値によって運ばれ、また前記第二のタイプの割当てメッセージは単一のトラヒックチャンネルセグメントのための割当てを運ぶ媒体。
【請求項３７】
請求項３４に記載のコンピュータ読取り可能な媒体であって、前記第一および第二のタイプの割当てメッセージはトラヒックチャンネル割当てメッセージである媒体。
【請求項３８】
請求項３２に記載のコンピュータ読取り可能な媒体であって、前記マスク値は、前記無線端末に割当てられ得る再帰トラヒックチャンネル構造における潜在的トラヒックチャンネルセグメントを同定する媒体。
【請求項３９】
無線端末を動作させる方法であって：
第一の値の基地局割当ての無線端末識別子および対応するマスク値を基地局から受信し、前記マスク値は情報ビットの第一の数によって表されることと；
第一のタイプの割当てメッセージを前記基地局から受信し、前記第一のタイプの割当てメッセージは無線端末識別子およびマスク識別子値を含んでいること
を含んでなる方法。
【請求項４０】
請求項３９に記載の方法であって、前記マスク識別子値は情報ビットの第二の数によって表され、該第二の数は前記第一の数よりも小さい方法。
【請求項４１】
請求項３９に記載の方法であって、更に、前記受信された第一のタイプの割り当てメッセージから、前記割当てが当該無線端末に向けられているものか否かを同定することを含んでなる方法。
【請求項４２】
請求項３９に記載の方法であって、前記受信されたマスク値が一組の複数の予め定められたマスク値の一つであるときは、前記受信された割当てが前記無線端末に向けられたものか否かを同定するステップは、前記受信された基地局割当ての無線端末識別子値が前記受信された割当てメッセージにおける前記無線端末識別子に一致するかどうかを決定することと、前記受信されたマスク識別子値が前記受信されたマスク値を同定するかどうかを決定することを含む方法。
【請求項４３】
請求項３９に記載の方法であって、前記マスク値が第一の定められたマスク値であるときは、前記第一の予め定められたマスク値は前記一組の複数の予め定められたマスク値から排除され、前記割当てが前記無線端末に向けられたものか否かを同定する前記ステップは、前記受信された基地局割当ての無線端末識別子値が前記受信された割当てメッセージにおける前記無線端末識別子に一致するかどうかを決定することを含み、前記決定は、前記割当てメッセージにおける受信された前記マスク識別子値の使用を必要としない方法。
【請求項４４】
請求項４１に記載の方法であって、更に、
第二のタイプの割当てメッセージを受信し、前記第二のタイプの割り当てメッセージは前記無線端末識別子を含むが、マスク識別子値を含まないことと、
前記第二のタイプの割り当てメッセージが前記無線端末に向けられていることを同定すること
を含んでなる方法。
【請求項４５】
請求項３９に記載の方法であって、前記無線端末は、前記受信されたマスク値の関数として受信するためように、割当てメッセージの副組を決定する方法。
【請求項４６】
請求項３９に記載の方法であって、前記無線端末は、前記受信されたマスク値の関数として処理するように、割当てメッセージの副組を決定する方法。
【請求項４７】
請求項３９に記載の方法であって、前記受信されたマスク値が第一の定められたパターンに一致するならば、前記再帰トラヒックチャンネル構造における一組のトラヒックチャンネルセグメントからの何れかのトラヒックチャンネルセグメントが前記無線端末に割当てられてよく、また前記マスク値が第二の予め定められたパターン一致すれば、前記一組のトラヒックチャンネルセグメントの第一の予め定められた副組が前記無線端末に割当てられてよく、また前記マスクが第三の予め定められたパターンに一致すれば、前記トラヒックチャンネルセグメントの第二の予め定められた副組が前記無線端末に割当てられてよい方法。
【請求項４８】
請求項４７に記載の方法であって、前記第一の予め定められた副組および前記第二の予め定められた副組が部分的に重なっている方法。
【請求項４９】
請求項４８に記載の方法であって、前記マスク値が第四の予め定められたパターンに一致すれば、前記一組のトラヒックチャンネルセグメントの第三の予め定められた副組が前記無線端末に割当てられてよく、該第三の予め定められた副組は前記第一および第二の予め定められた副組と部分的に重なる方法。
【請求項５０】
請求項４１に記載の方法であって、前記無線端末は前記割当てが前記無線端末に向けられるものであることを決定し、当該方法は更に、
予め定められた関連によって前記受信された割当てに関連付けられたアップリングトラヒックチャンネルセグメントを使用して、符号化された情報を送信することと、
予め定められた関連によって前記受信された割当てと関連付けられたダウンリンクトラヒックチャンネルセグメントを介して、通信された符号化された情報を受信すること
の一方を実施することを含んでなる方法。
【請求項５１】
無線端末において：
基地局割当ての無線端末識別子および対応するマスク値を含む受信された制御メッセージ情報を処理するための制御メッセージ処理モジュールであって、前記マスク値は情報ビットの第一の数によって表されるモジュールと、
第一のタイプの割当てメッセージを処理するための第一のタイプの割当てメッセージ処理モジュールであって、前記第一のタイプの割当てメッセージは無線端末識別子およびマスク識別子値を含んでいる無線端末。
【請求項５２】
請求項５１に記載の無線端末であって、前記マスク識別子値は情報ビットの第二の数によって表され、該第二の数は前記第一の数よりも小さい無線端末。
【請求項５３】
請求項５１に記載の無線端末であって、前記第一のタイプの割り当てメッセージ処理モジュールは、前記受信された第一のタイプの割り当てメッセージから、前記割当てが当該無線端末に向けられているものか否かを同定する無線端末。
【請求項５４】
請求項５１に記載の無線端末であって、
前記第一のタイプの割り当て処理モジュールは、受信された基地局割当ての無線端末識別子値が前記受信された割当てメッセージに含められた前記無線端末識別子に一致するかどうかを決定し、また前記受信されたマスク識別子値が前記受信されたマスクを同定するかどうかを決定するための第一の動作モード処理モジュールを含んでおり、前記受信されたマスク値は複数の予め定められたマスク値のうちの一つである無線端末。
【請求項５５】
請求項５１に記載の無線端末であって、前記第一のタイプの割り当て処理モジュールは、前記受信された基地局割当ての無線端末識別子値が前記受信された割当てメッセージにおける前記無線端末識別子に一致するかどうかを決定するための第二の動作モード処理モジュールを含み、前記決定は前記割当てメッセージにおける受信されたマスク識別子値の使用を必要としない無線端末。
【請求項５６】
請求項５３に記載の無線端末であって、更に、
前記無線端末識別子を含むがマスク識別子値を含まない第二のタイプの割当てメッセージを処理するため、および前記第二のタイプの割り当てメッセージが前記無線端末に向けられていることを同定するための、第二のタイプの割り当てメッセージ処理モジュールを含んでなる無線端末。
【請求項５７】
請求項５１に記載の無線端末であって、更に、
再帰トラヒックチャンネル構造を定義する保存されたトラヒックチャンネル構造情報を含んでなり、
前記マスク値は、前記無線端末に割当てられ得る前記再帰トラヒックチャンネル構造における潜在的トラヒックチャンネルセグメントを同定する無線端末。
【請求項５８】
請求項５３に記載の無線端末であって、前記第一および第二のタイプの割当てメッセージがトラヒックチャンネル割当てメッセージである無線端末。
【請求項５９】
請求項５３に記載の無線端末であって、更に、
割当てメッセージと、再帰チャンネル構造における少なくとも一つのアップリンクおよびダウンリンクトラヒックチャンネルセグメントとの間の予め定められたマッピングを示す保存された情報を含んでなる無線端末。
【請求項６０】
無線端末において、
基地局割当ての無線端末識別子および対応するマスク値を含む受信された制御メッセージ情報を処理するための手段であって、前記マスク値は情報ビットの第一の数によって表される手段と、
第一のタイプの割当てメッセージを処理するための第一のタイプの割当てメッセージ処理手段であって、前記第一のタイプの割当てメッセージは無線端末識別子およびマスク識別子値を含んでいる無線端末。
【請求項６１】
請求項６０に記載の無線端末であって、前記マスク識別子値は情報ビットの第二の数によって表され、該第二の数は前記第一の数よりも小さい無線端末。
【請求項６２】
請求項６０に記載の無線端末であって、前記第一のタイプの割り当てメッセージ処理モジュールは、前記受信された第一のタイプの割り当てメッセージから、前記割当てが当該無線端末に向けられているものか否かを同定する無線端末。
【請求項６３】
請求項６０に記載の無線端末であって、
前記第一のタイプの割り当て処理手段は、受信された基地局割当ての無線端末識別子値が前記受信された割当てメッセージに含められた前記無線端末識別子に一致するかどうかを決定し、また前記受信されたマスク識別子値が前記受信されたマスクを同定するかどうかを決定するための第一の動作モード処理手段を含んでおり、前記受信されたマスク値は複数の予め定められたマスク値のうちの一つである無線端末。
【請求項６４】
請求項６０に記載の無線端末であって、前記第一のタイプの割り当て処理手段は、更に、前記受信された基地局割当ての無線端末識別子値が前記受信された割当てメッセージにおける前記無線端末識別子に一致するかどうかを決定するための第二の動作モード処理モジュールを含み、前記決定は前記割当てメッセージにおける受信されたマスク識別子値の使用を必要としない無線端末。
【請求項６５】
請求項６２に記載の無線端末であって、更に、
前記無線端末識別子を含むがマスク識別子値を含まない第二のタイプの割当てメッセージを処理するため、および前記第二のタイプの割り当てメッセージが前記無線端末に向けられていることを同定するための、第二のタイプの割り当てメッセージ処理手段を含んでなる無線端末。
【請求項６６】
請求項６０に記載の無線端末であって、更に、
再帰トラヒックチャンネル構造を定義するトラヒックチャンネル構造情報を保存するための手段を含んでなり、
前記マスク値は、前記無線端末に割当てられ得る前記再帰トラヒックチャンネル構造における潜在的トラヒックチャンネルセグメントを同定する無線端末。
【請求項６７】
無線端末を動作させる方法を実施するための機械で実行可能な命令を組み入れたコンピュータ読取り可能な媒体であって：前記方法は、
第一の値の基地局割当ての無線端末識別子および対応するマスク値を基地局から受信し、前記マスク値は情報ビットの第一の数によって表されることと；
第一のタイプの割当てメッセージを前記基地局から受信し、前記第一のタイプの割当てメッセージは前記無線端末識別子およびマスク識別子値を含んでいること
を含んでなる媒体。
【請求項６８】
請求項６７に記載のコンピュータ読取り可能な媒体であって、前記マスク識別子値は情報ビットの第二の数によって表され、該第二の数は前記第一の数よりも小さい媒体。
【請求項６９】
請求項６７に記載のコンピュータ読取り可能な媒体であって、更に、
前記受信された第一のタイプの割当てメッセージから、前記割当てが当該無線端末に受けられたものであるか否かを決定するステップ
を実行するように、無線端末を制御するための機械で実行可能な命令を含んでなる媒体。
【請求項７０】
請求項６７に記載のコンピュータ読取り可能な媒体であって、前記受信されたマスク値が一組の複数の予め定められたマスク値の一つであるときは、前記受信された割当てが前記無線端末に向けられたものか否かを同定するステップは、前記受信された基地局割当ての無線端末識別子値が前記受信された割当てメッセージにおける前記無線端末識別子に一致するかどうかを決定することと、前記受信されたマスク識別子値が前記受信されたマスク値を同定するかどうかを決定することを含む媒体。
【請求項７１】
請求項６７に記載のコンピュータ読取り可能な媒体であって、前記マスク値が第一の定められたマスク値であるときは、前記第一の予め定められたマスク値は前記一組の複数の予め定められたマスク値から排除され、前記割当てが前記無線端末に向けられたものか否かを同定する前記ステップは、前記受信された基地局割当ての無線端末識別子値が前記受信された割当てメッセージにおける前記無線端末識別子に一致するかどうかを決定することを含み、前記決定は、前記割当てメッセージにおける受信された前記マスク識別子値の使用を必要としない媒体。
【請求項７２】
請求項６９に記載のコンピュータ読取り可能な媒体であって、更に、
第二のタイプの割当てメッセージを受信し、前記第二のタイプの割り当てメッセージは前記無線端末識別子を含むが、マスク識別子値を含まないことと、
前記第二のタイプの割り当てメッセージが前記無線端末に向けられていることを同定すること
を含んでなる方法。
【発明の詳細な説明】
【発明の分野】
【０００１】
本発明は、マルチユーザ通信システムに関し、更に特定すれば、無線通信システムにおける割当てに関連した方法および装置に関する。
【関連技術の説明】
【０００２】
無線通信システムの人気が増大し、提供されるデータ通信サービスのタイプの多様性が増大しているので、そのセルについて所定の基地局に配分された制限された利用可能なエアリンク資源、例えば周波数スペクトルについて、益々増大する要求が存在している。加えて、ユーザ数および資源に対するユーザの需要は、需要における予期されたおよび予期されないピークを生じ得る時間およびイベントの関数として変化する可能性がある。一つのセル内に共存する多数の活動中のユーザは、制御信号伝達目的のためにエアリンク資源の大きな部分を費やさないのに、アップリンクおよび／またはダウンリンクのユーザデータを適時に通信するユーザの必要性を満たすために困難な問題を生じる。割当てのような制御信号伝達目的のために利用される資源は、ユーザデータを通信するために利用可能な資源の量を減少させる。資源の効率的使用を複雑化するのは、典型的には、異なる資源需要および要求を有し得る種々の異なるタイプのユーザおよび／アプリケーションが存在するという事実である。
【０００３】
制御資源を配分する一つの方法は、基地局取付け点については、サービスを供給している各無線端末に対して独特の基地局割当てのユーザ識別子を配分し、次いで当該割当て識別子を割当てメッセージに含めることである。しかし、現在の潜在的ユーザの数が増大するに伴って、ユーザ識別子を独特に表すために必要とされるビット数が増大し、各通信される割当てメッセージにおけるオーバーヘッド信号伝達が増大する。一般に、この方法はまた、所定の時間帯において、ユーザの幾人かは大きな数のトラヒックチャンネルセグメントを配分され易いのに対して、他のユーザはそれ以外のユーザよりも少ない数のトラヒックチャンネルセグメントを配分され得るにもかかわらず、各ユーザが如何なる与えられたトラヒックチャンネルセグメントにも割当てられ得る点において、ユーザの各々を等しく扱う。
【０００４】
既知の資源配分方法は、幾つかのアプリケーションについては充分であり得るが、新しく且つ改善された方法および装置が資源配分のために利用可能であれば有益であろう。少なくとも幾つかの新しい方法および装置が効率的に多くのユーザをサポートでき、異なるタイプのユーザ／アプリケーション／現在のニーズを適合させることにおいて融通性を提供し、および／または他の技術に比較して制御信号オーバーヘッドを制限するのであれば望ましいであろう。
【発明の概要】
【０００５】
資源割当て情報、例えばチャンネルセグメント割当て情報を通信し、また斯かる割当て情報を使用するための方法および装置が記述される。種々の例示的な方法および装置を、基地局および無線端末の両方を含むシステムにおいて使用することができる。従って、幾つかの方法は基地局に適用可能であるのに対して、他の方法は無線端末に適用可能であることが想定される。
【０００６】
必ずしも全ての実施形態ではないが、幾つかの実施形態に従えば、基地局を動作させる例示的方法は以下を含んでいる：基地局割当ての無線端末識別子および対応するマスク値を無線端末へと通信し、続いて第一のタイプの割当てメッセージを前記無線端末へと通信し、前記第一のタイプの割当てメッセージは、無線端末識別子およびマスク識別子値を含んでいる。前記基地局割当ての無線端末識別子および対応するマスク値は、幾つかの実施形態では、状態遷移メッセージの一部として通信される。前記第一のタイプの割当てメッセージは、トラヒックチャンネル割当てメッセージであってよい。
【０００７】
受信されたマスク値は、幾つかの実施形態においては、無線端末がそこへ遷移されるべき動作モードを決定するために使用される。異なるオン状態の動作モードは、利用され得る異なるレベルの入手可能な資源に対応してよく、また受信されたマスク値は、前記モードおよびこれら入手可能な資源の少なくとも幾つかを同定するために使用されてよい。
【０００８】
前記状態遷移メッセージからの情報は、その後、割当てメッセージ、例えばトラヒックチャンネル割当てメッセージを処理して、前記割当が前記無線端末に向けられるものか否かを決定するときに、前記無線端末によって使用されてよい。
【０００９】
幾つかの実施形態に従う例示的基地局は、無線端末に向けられるメッセージ情報を発生するための無線端末制御メッセージ発生モジュールであって、前記メッセージ情報は、基地局割当ての無線端末識別子および対応するマスク値を通信するモジュールと；前記無線端末識別子およびマスク識別子値を含む第一のタイプの割当てメッセージを発生するための、第一のタイプの割当てメッセージ発生モジュールと；前記無線端末制御メッセージ情報および前記第一のタイプの割当てメッセージを送信するための送信機を含んでいる。
【００１０】
幾つかの実施形態に従う無線端末を動作させる例示的方法は、基地局割当ての無線端末識別子および対応するマスク値を基地局から受信することと；第一のタイプの割当てメッセージを前記基地局から受信することを含み、前記第一のタイプの割当てメッセージは、無線端末識別子およびマスク識別子値を含んでいる。
【００１１】
幾つかの実施形態に従う例示的無線端末は、基地局割当ての無線端末識別子および対応するマスク値を含む受信された制御メッセージ情報を処理するための制御メッセージ処理モジュールと、第一のタイプの割当てメッセージを処理するための第一のタイプの割当てメッセージ処理モジュールを含み、前記第一のタイプの割当て情報は無線端末識別子およびマスク識別子値を含んでいる。
【００１２】
必ずしも全ての実施形態ではないが、種々の実施形態は、第一のタイプのメッセージに加えて、第二のタイプの割当てメッセージを含み且つ使用する。幾つかの実施形態において、第二のタイプの割当てメッセージは無線端末識別子を含んでいるが、マスク識別子値を含まない。種々の実施形態において、例えば割当てチャンネルにおける割当てスロットと、例えばトラヒックチャンネルにおけるトラヒックチャンネルセグメントとの間の予め定められたマッピング関連は、制御信号を減少させるために利用される。斯かる一つの実施形態において、割当ておよびトラヒックチャンネルは、再帰チャンネル構造の一部である。幾つかの実施形態において、トラヒックチャンネルセグメントとマスク情報の間には予め定められた関連が存在し、制御信号伝達を低減するために使用される。
【００１３】
一つの特定の例示的実施形態において、無線通信システムは、フルトーンフォーマットのＤＣＣＨフォーマットおよび分割トーンＤＣＣＨフォーマットの両方をサポートする、アップリンク専用制御チャンネル（ＤＣＣＨ）を実施する。斯かる実施形態において、論理ＣＤＤＨチャンネルトーンがフルトーンフォーマットであれば、該トーンに対応するＤＣＣＨセグメントの各々が単一の無線端末に関連する。もし、論理ＤＣＣＨトーンが分割トーンフォーマットであれば、当該トーンに対応する該ＤＣＣＨセグメントは複数の非重なりの副組を含んでおり、各副組が無線端末と関連付けられることができる。
【００１４】
該特定の例示的実施形態において、無線端末は、無線端によって使用される対応するＤＣＣＨトーンと関連付けられた基地局割当てのオン状態識別子を、基地局取付け点から受信してよい。加えて、特定の例示的実施形態に従えば、該無線端末は割当てマスクを受信してよい。該割当てマスクは、無線端末により使用されるべきＤＣＣＨトーンが、フル音声フォーマットまたは分割トーンフォーマットの何れであるかを同定する。加えて、分割トーンフォーマットが指示されるとき、該ビットパターンは更に、当該論理トーンに関連付けられたＤＣＣＨセグメントのうち、何れの１以上の非重なり副組が前記無線端末によって使用されるべきかを同定する。
【００１５】
該特定の例示的実施形態において、再帰ダウンリンク／アップリンクトラヒックチャンネル構造は、インデックスされたセグメントを含んでおり、各インデックスされたセグメントはフラッシュタイプの割当てまたはレギュラータイプの割当てと関連付けられる。フラッシュタイプの割当てに関連付けられた各インデックスされたトラヒックチャンネルセグメントは、予め定められたマッピングを介して、一組のビット（one set bit）を含む無線端末オンマスクビットパターンと関連付けられる。レギュラータイプの割当てと関連付けられた各インデックスされたトラヒックチャンネルセグメントは、予め定められたマッピングを介して、二つの異なる無線端末オンマスクビットパターンと関連付けられ、該二つの異なるビットパターンの各々は異なる単一組のビットを有している。
【００１６】
特定の例示的実施形態におけるトラヒックチャンネルセグメントのためのフラッシュ割当ては、該割当てが向けられるＷＴのオン状態識別子を運ぶオン状態識別子フィールドを含んでいる。フルトーンＤＣＣＨモードの無線端末は、オン状態識別子フィールド中の値に対して割当てられたそのＷＴオン状態識別子をチェックすることによって、該割当てがそれ自身に向けられているかどうかを認識する。分割トーンＤＣＣＨモードにある無線端末は、その割当てられたオン状態マスクを該セグメントと関連付けられた予め定められたオン状態マスクと比較して、該割当てが潜在的にそれ自身に向けられることができるかどうかを決定する；その中で割当てが該無線端末に向けられることができるセグメントについて、無線端末は、その割当てられたオン状態識別子を当該フラッシュ割当てのオン状態識別子フィールドにおける値と比較して、それが当該割当ての意図したレシピエントであるか否かを決定する。
【００１７】
特定の例示的実施形態におけるトラヒックチャンネルセグメントのためのレギュラー割当ては、オン状態識別子副フィールドに加えて、単一ビットのオンマスク副フィールドを含んでいる。該オンマスク副フィールドのビットパターンは、二つの異なる潜在的無線端末オンマスクビットパターンの何れが、該セグメント割当てに適用されるかを同定する。フルトーンフォーマットにあるＤＣＣＨモードの無線端末は、その割当てられたＷＴオン状態識別子をオン状態識別子フィールド中の値に対してチェックすることにより、前記割当てがそれ自身に向けられたものか否かを認識する。分割トーンフォーマットＤＣＣＨモードにある無線端末は、その割当てられたオン状態マスクを、当該セグメントに関連付けられ得る予め定められたオン状態マスクと比較して、該セグメントが潜在的にそれ自身に向けられ得るかどうかを決定する。その中では当該割当てが該無線端末に向けられ得るセグメントについて、分割トーンＤＣＣＨモードにある無線端末は、当該オンマスク副フィールドの受信された値を復号してオン状態マスクを決定する。次いで、該無線端末は、その割当てられたオン状態マスクを、該セグメントに現在関連付けられている復号されたオン状態マスクと比較して、該割当が潜在的にそれ自身に向けられ得るかどうかを決定することができる。その中では当該割当が該無線端末に向けられ得るセグメントについて、該無線端末は、その割当てられたオン状態識別子を、当該割当てのオン状態識別子フィールド中の値と比較して、それが当該割当ての意図されたレシピエントであるか否かを決定する。
【００１８】
特定の例示的実施形態は種々のステップが特定の順序で実施されることを記載しているが、種々のステップの順序は、与えられた実施に応じて変化し得ることが理解されるべきである。
【００１９】
上記の概要において種々の実施形態を説明したが、必ずしも全ての実施形態が同じ特徴を含むものではなく、また幾つかの実施形態においては、上記で記載した特徴の幾つかは必要ではないが、望ましいものであり得ることが理解されるべきである。多くの追加の特徴、実施形態、および種々の実施形態の利益については、以下の詳細な説明において述べる。
【図面の簡単な説明】
【００２０】
【図１】図１は、種々の実施形態に従って実施される例示的通信システムの図である。
【図２】図２は、種々の実施形態に従って実施される例示的な基地局、例えばアクセスノードの図である。
【図３】図３は、種々の実施形態に従って実施される例示的な無線端末、例えばモバイルノードの図である。
【図４】図４は、種々の実施形態に従った、状態遷移メッセージ信号伝達、専用制御チャンネルトーン、無線端末オン状態識別子および無線端末オンマスクの割当てを示した図である。
【図５】図５は、種々の実施形態に従って１以上の割当を含んだ、トラヒックチャンネルセグメントの例示的フラッシュ割当てメッセージ伝達および例示的レギュラー割当てメッセージ信号伝達を示しており、前記１以上の割当ての各々は異なるトラヒックチャンネルセグメントに対応する。
【図６】図６は、図６Ａ、図６Ｂおよび図６Ｃの組合せからなるこの図の構成を示す図である。
【図６Ａ】図６Ａは、種々の実施形態に従って無線端末を動作させる例示的方法のフローチャートである。
【図６Ｂ】図６Ｂは、種々の実施形態に従って無線端末を動作させる例示的方法のフローチャートである。
【図６Ｃ】図６Ｃは、種々の実施形態に従って無線端末を動作させる例示的方法のフローチャートである。
【図７】図７は、種々の実施形態に従った例示的ダウンリンクトラヒック制御チャンネル（ＤＬ．ＴＣＣＨ．）におけるダウンリンクトラヒックチャンネル（ＤＬ．ＴＣＨ）の例示的明細の表である。
【図８】図８は、図８Ａ、図８Ｂおよび図８Ｃの組合せからなるこの図の構成を示す図である。
【図８Ａ】図８Ａは、種々の実施形態に従う、例示的ダウンリンクトラヒック制御チャンネル（ＤＬ．ＴＣＣＨ．）におけるアップリンクトラヒックチャンネル（ＵＬ．ＴＣＨ）の例示的明細の表である。
【図８Ｂ】図８Ｂは、種々の実施形態に従う、例示的ダウンリンクトラヒック制御チャンネル（ＤＬ．ＴＣＣＨ．）におけるアップリンクトラヒックチャンネル（ＵＬ．ＴＣＨ）の例示的明細の表である。
【図８Ｃ】図８Ｃは、種々の実施形態に従う、例示的ダウンリンクトラヒック制御チャンネル（ＤＬ．ＴＣＣＨ．）におけるアップリンクトラヒックチャンネル（ＵＬ．ＴＣＨ）の例示的明細の表である。
【図９】図９は、ダウンリンクフレーミングフォーマットが割当て信号伝達のために使用中である間の、図５の例示的基地局および例示的無線端末を示す図である。
【図１０】図１０はアップリンクフレーミングフォーマットが割当て信号伝達のために使用中である間の、図５の例示的基地局および例示的無線端末を示す図である。
【図１１】図１１は、図１１Ａ、図１１Ｂおよび図１１Ｃの組合せからなるこの図の構成を示す図である。
【図１１Ａ】図１１Ａは、種々の実施形態に従って基地局を動作させる例示的方法のフローチャートの図である。
【図１１Ｂ】図１１Ｂは、種々の実施形態に従って基地局を動作させる例示的方法のフローチャートの図である。
【図１１Ｃ】図１１Ｃは、種々の実施形態に従って基地局を動作させる例示的方法のフローチャートの図である。
【図１２】図１２は、種々の実施形態に従って基地局を動作させる例示的方法のフローチャートである。
【図１３】図１３は、種々の実施形態に従って無線端末を動作させる例示的方法のフローチャートである。
【図１４】図１４は、種々の実施形態に従って実施される例示的基地局の図である。
【図１５】図１５は、種々の実施形態に従って実施される例示的無線端末、例えばモバイルノードの図である。
【図１６】図１６は、種々の実施形態に従う例示的な状態遷移信号伝達、トラヒックチャンネル割当て信号伝達、および再帰チャンネル構造を示す。
【図１７】図１７は、種々の実施形態に従う例示的な状態遷移信号伝達、トラヒックチャンネル割当て信号伝達、および再帰チャンネル構造を示す。
【図１８】図１８は、種々の実施形態に従う例示的な状態遷移信号伝達、トラヒックチャンネル割当て信号伝達、および再帰チャンネル構造を示す。
【詳細な説明】
【００２１】
図１は、種々の実施形態に従って実施される例示的無線通信システム１００を示す。例示的通信システム１００は複数のセル、即ち、セル１：１０２、セルＭ：１０４を含んでいる。例示的無線通信システム１００は、例えば、トーンホッピングを含む多重アクセスＯＦＤＭスペクトラム拡散無線通信システムのような、例示的多重アクセス直交周波数分割多重化（ＯＦＤＭ）無線通信システムである。例示的システム１００の各セル１０２、１０４は三つのセクターを含んでいる。複数のセクターに副分割されていないセル（Ｎ＝１）、二つのセクターを伴うセル（Ｎ＝２）、３を越えるセクターを伴うセル（Ｎ＞３）もまた、種々の実施形態に従って可能である。各セクターは、１以上のキャリアおよび／またはダウンリンクトーンブロックをサポートする。各ダウンリンクトーンブロックは、対応するアップリンクトーンブロックを有している。幾つかの実施形態において、少なくとも幾つかのセクターは、三つのダウンリンク／アップリンクトーンブロック対をサポートする。一つの基地局について、セクターおよびトーンブロック対の各組合せは、異なる基地局セクター取付け点に対応する。セル１０２は、第一のセクター、即ちセクター１；１１０、第二のセクター、即ちセクター２：１１２、および第三のセクター、即ちセクター３：１１３を含んでいる。同様に、セルＭは、第一のセクター、即ちセクター１；１２２、第二のセクター、即ちセクター２：１２４、および第三のセクター、即ちセクター３：１２６を含んでいる。セル１：１０２は、基地局（ＢＳ）、即ち基地局１：１０６と、各セクター１１０、１１２および１１４内の複数数の無線端末（ＷＴ）を含んでいる。セクター１：１１０は、それぞれ無線リンク１４０，１４２を介して基地局１０６に結合されたＷＴ（１）１３６およびＷＴ（Ｎ）１３８を含んでいる。セクター２：１１２は、それぞれ無線リンク１４８，１５０を介してＢＳ１０６に結合されたＷＴ（１’）１４４およびＷＴ（Ｎ’）１４６を含んでいる。セクター３：１１４は、それぞれ無線リンク１５６，１５８を介してＢＳ１０６に結合されたＷＴ（１''）１５２およびＷＴ（Ｎ''）１５４を含んでいる。同様にセルＭ：１０４は、基地局Ｍ：１０８と、各セクター１２２、１２４および１２６内に複数数の無線端末（ＷＴ）を含んでいる。セクター１：１２２は、それぞれ無線リンク１８０，１８２を介してＢＳ・Ｍ：１０８に結合されたＷＴ（１''''）１６８およびＷＴ（Ｎ''''）１７０を含んでいる。セクター２：１２４は、それぞれ無線リンク１８８，１９０を介してＢＳ・Ｍ１０８に結合されたＷＴ（１''''''）１４４およびＷＴ（Ｎ''''''）１７８を含んでいる。セクター３：１２６は、それぞれ無線リンク１８８，１９０を介してＢＳ・Ｍ：１０６に結合されたＷＴ（１''''''）１７６およびＷＴ（Ｎ''''''）１７８を含んでいる。
【００２２】
システム１００はまた、ネットワークリンク１６２，１６４を介してＧＳ・Ｍ１０８に結合されるネットワークノード１６０を含んでいる。ネットワークノード１６０はまた、ネットワークリンク１６６を介して他のネットワークノード、例えば、他の基地局、ＡＡＡサーバノード、中間ノード、ルーチン等、およびインターネットに結合される。ネットワークリンク１６２，１６４，１６６は、例えば光ファイバーケーブルであってよい。各無線端末、例えばＷＴ１：１１３６は、送信機並びに受信機を含んでいる。少なくとも幾つかの無線端末、例えばＷＴ（１）１３６はモバイルノードであり、これはシステム１００の全体を通して移動してよく、また無線リンクを介して、該ＷＴが現在位置している当該セル内の基地局と、基地局セクター取付け点を使用して通信してよい。無線端末（ＷＴ）、例えばＷＴ（１）１３６は、ピアノード、例えばシステム１００内の他のＷＴと通信してよく、または基地局、例えばＢＳ１０６、および／またはネットワークノードを介してシステム１００の外部のＷＴと通信してよい。ＷＴ、例えばＷＴ（１）１３６はモバイル通信装置、例えば携帯電話、無線モデムを備えたパーソナルデータアシスタント、無線モデムを備えたラップトップコンピュータ、無線モデムを備えたデータ端末等であってよい。
【００２３】
図１の例示的システム１００では、各基地局取付け点に対応して、再帰ダウンリンク／アップリンクチャンネル構造が存在し、該構造はトラヒックチャンネル割当て信号伝達機会およびトラヒックチャンネルセグメントを含んでいる。この割当て信号伝達機会、例えば１以上の割当て機会を含むトラヒック制御チャンネルセグメントは、対応するトラヒックチャンネルセグメントにリンクされる。当該構造における割当て信号伝達機会と当該構造内のトラヒックチャンネルセグメントの間におけるこの予め定められたリンクは、オーバーヘッド信号伝達を低減する。種々の実施形態に従えば、個々ベースでの割当て機会は、複数のｗｔＯｎＭａｓｋ識別子の１以上との固定された関連を有する。分割トーンフォーマットを表す１以上のｗｔＯｎＭａｓｋ識別子が可能な選択肢である場合の割当て機会について、該割当てメッセージは、該選択肢間を識別するために使用されるフィールド、例えば単一ビットの指標フィールドを含んでいる。この例示的実施形態において、トラヒックチャンネルセグメントはフルトーン専用制御チャンネル（ＤＣＣＨ）フォーマットを使用する取付け点オン状態無線端末の何れかに割当てられることができる一方、同じトラヒックチャンネルセグメントは、分割トーンＤＣＣＨフォーマットを使用する無線端末の副組に割当てられることができる。このアプローチは、種々の実施形態に従って効率的で且つ融通性のある割当て構造を提供する。
【００２４】
図２は、種々の実施形態に従って実施される例示的基地局２００、例えばアクセスノードの図である。例示的基地局２００は、図１の基地局（１０２，１０４）の何れかであってよい。例示的基地局２００は、受信機モジュール２０２、送信機モジュール２０４、プロセッサ２０６、Ｉ／Ｏインターフェース２０８、およびその上で種々の素子がデータおよび情報を交換してよいバス２１２を介して一緒に結合されたメモリー２１０を含んでいる。メモリー２１０は、ルーチン２１８およびデータ／情報２４０を含んでいる。プロセッサ２０６、例えばＣＰＵはルーチン２１８を実行し、またメモリー２１０の中のデータ／情報２４０を使用して基地局２００の動作を制御し、方法を実施する。
【００２５】
受信機モジュール２０２、例えばＯＦＤＭ受信機は受信アンテナ２０３に結合され、該アンテナを介して、基地局２００は無線端末からのアップリンク信号を受信する。受信されたアップリンク信号は、状態遷移の要求、アップリンク制御チャンネルセグメント信号、およびアップリンクトラヒックチャンネルセグメント信号を含んでいる。受信機モジュール２０２は、受信されたアップリンク信号の少なくとも幾つかを復号するため、例えば、アップリンクトラヒックチャンネルセグメントに対応する受信されたアップリンク信号に対するブロック復号動作を実行するための復号器２１４を含んでいる。
【００２６】
送信機モジュール２０４、例えばＯＦＤＭ送信機は送信アンテナ２０５に結合され、該送信アンテナを介して、基地局はダウンリンク信号を無線端末へと送信する。該ダウンリンク信号は、状態遷移メッセージ、ダウンリンクトラヒック制御チャンネルセグメント、およびダウンリンクトラヒックチャンネルセグメント信号を含んでいる。状態遷移メッセージの少なくとも幾つかは、無線端末オン識別子およびｗｔＯｎＭａｓｋを示す情報を含んでいる。ダウンリンクトラヒック制御チャンネルセグメント信号は、アップリンクおよび／またはダウンリンクトラヒックチャンネルセグメントに対応する割当てメッセージを含んでおり、前記割当てメッセージの少なくとも幾つかはｗｔＯｎＭａｓｋ指標値を含んでいる。ダウンリンクトラヒックチャンネルセグメント信号は、ユーザデータ、例えば音声データオーディオデータ、テキストデータ、画像データ、ファイルデータ等を運ぶ。幾つかの実施形態において、同じアンテナは、例えば二重モジュールに関連して、受信機モジュール２０２および送信機モジュール２０４の両者のために使用される。種々の実施形態においては、例えば別のアンテナおよび／またはセクター化されたアンテナと共に、基地局の各セクターに対応して別の受信機モジュール２０２および別の送信機モジュールが存在する。
【００２７】
Ｉ／Ｏインターフェース２０８は、基地局２００をインターネットおよび／または他のネットワークノード、例えば他の基地局、ＡＡＡノード、ホームエージェントノード、ルータ等に結合する。該Ｉ／Ｏインターフェース２０８は、基地局２００を、種々の基地局を一緒に結合する帰路ネットワークに結合する。こうして、無線接続を介して第一の基地局に結合された無線端末は、無線接続によって第二の基地局に結合されたもう一つの無線端末との通信セッションを有してよい。
【００２８】
ルーチン２１８は、通信ルーチン２２２および基地局制御ルーチン２２４を含んでいる。通信ルーチン２２２は、基地局２００によって使用される種々の通信プロトコルを実施する。基地局制御ルーチン２２４は、スケジューリングモジュール２２６、割当て信号発生モジュール２２８、専用制御チャンネル（ＤＣＣＨ）モジュール２３４、送信機制御モジュール２３６、および受信機制御モジュール２３８を含んでいる。
【００２９】
スケジューリングモジュール２２６、例えばスケジューラは、例えば基地局２００が使用しているスケジュール化プロトコル規則に基づいて、該基地局を使用する無線端末を、アップリンクおよびダウンリンクのトラヒックチャンネルセグメントへとスケジュール化する。例えば、何れのユーザが何れのトラヒックチャンネルセグメントを割当てられるかを決定するときに、規則は優先度レベル、待ち時間要件、通信すべき情報のタイプ、要求、チャンネル条件、干渉レベル、電力要件、通信すべき情報の量、および／または他の因子を考慮してよい。スケジューリングモジュール２２６は、無線端末を、チャンネル構造における割当てスロットに関連付けする。ダウンリンクトラヒック制御チャンネルにおける割当てスロットは、情報２４８および／または情報２５０に従って、チャンネル構造における対応のトラヒックチャンネルセグメントに関連付けられる。スケジューリングモジュール２２６によってセグメント毎のベースで行われる関連は、割当てスロットを用いて、無線端末にオン状態識別子およびｗｔＯｎＭａｓｋ識別子を割当てることを含んでいる。
【００３０】
割当て信号発生モジュール２２８は、スケジューリングモジュール２２６から出力される情報を使用し、また割当てメッセージフレーミング情報およびＤＬ／ＵＬタイミング／周波数構造情報２４４を使用して、割当て信号を発生する。割当て信号発生モジュール２２８は、フラッシュチャンネル副モジュール２３０およびレギュラーチャンネル副モジュール２３２を含んでいる。フラッシュチャンネル副モジュール２３０は、ダウンリンクトラヒック制御チャンネルフラッシュセグメント上を運ばれるべきフラッシュ割当て信号を発生し、フラッシュ割当て信号は単一のトラヒックセグメントに対応する割当てメッセージを含んでいる。レギュラーチャンネル副モジュール２３２は、ダウンリンクトラヒック制御チャンネルレギュラーセグメント上を運ばれるべきレギュラー割当て信号を発生し、レギュラー信号は、各々が別々の割当てを有する三つ以下の異なるトラヒックチャンネルセグメントに対応した割当てメッセージを含んでいる。
【００３１】
ＤＣＣＨモジュール２３４は、フルトーンフォーマットトーンと分割トーンフォーマットトーンとの間の論理専用制御チャンネルトーンのパーティショニングを制御する。該ＤＣＣＨモジュール２３４はまた、何れの無線端末がフルトーンフォーマットのＤＣＣＨトーンを受信し、また何れが分割トーンフォーマットのＤＣＣＨトーンを受信するかを決定する。ＤＣＣＨモジュール２３４は状態遷移メッセージを発生する。少なくとも幾つかの状態遷移メッセージは、無線端末オン状態識別子および割当てられたｗｔＯｎＭａｓｋを指示するメッセージである。例えば、３１のＤＣＣＨ論理音声を含む例示的実施形態は基地局取付け点に対応し、ここでは分割トーンフォーマットに３以下の無線端末が同じＤＣＣＨ論理トーンに割当てられ、該無線端末は５ビットの無線端末識別子および３ビットｗｔＯｎＭａｓｋを割当てられ、ｗｔＯｎＭａｓｋ＝１１１は、該無線端末がフルトーンフォーマットの割当てられたオン状態識別子に対応するＤＣＣＨトーンを使用すべきであることを示し、またｗｔＯｎＭａｓｋ＝１００，０１０または００１は、該無線端末が分割トーンフォーマットの割当てられたオン状態識別子に対応するＤＣＣＨトーンを使用すべきことを示す。加えて、割当てられたｗｔＯｎＭａｓｋは、割当て構造および割当て信号伝達において利用される。例示的実施形態では、与えられた接続についての与えられた無線端末について、割当てられたｗｔＯｎＭａｓｋの四つの可能性（１１１，００１，０１０，１００）の一つが、該無線端末に向けられる状態遷移メッセージ中の２ビット幅フィールドを介して通信される。
【００３２】
送信機制御モジュール２３６は送信機モジュール２０４の動作を制御する一方、受信機制御モジュール２３８は受信機モジュール２０２の動作を制御する。
【００３３】
データ／情報２４０は、システムデータ／情報２４２、無線端末データ／情報２６８、複数組の状態遷移メッセージ情報（状態遷移メッセージ１情報２５６、…、状態遷移メッセージｎ情報２５８）、複数組のフラッシュ割当てメッセージ情報（フラッシュ割当てメッセージ１情報２６０、…、フラッシュ割当てメッセージＮ情報２６２）、および複数組のレギュラー割当てメッセ維持情報（レギュラー割当てメッセージ１情報、…、レギュラー割当てメッセージＮ情報２６６）を含んでいる。
【００３４】
システムデータ２４２は、ダウンリンク／アップリンクタイミング周波数構造情報２４４、および割当てメッセージフレーミング情報２４６を含んでいる。ダウンリンク／アップリンクタイミング／周波数構造情報２４４は、再帰チャンネル構造情報、アップリンクおよびダウンリンクトーンブロック情報、キャリア周波数情報、ＯＦＤＭシンボルタイミング情報、ＯＦＤＭシンボルのグループ分けに関する情報、例えばハーフスロット、スロット、スーパースロット、ビーコンスロット、ウルトラスロット等、並びにアップリンクおよびダウンリンクトーンホッピング情報を含んでいる。ダウンリンク／アップリンクタイミング／周波数構造情報２４４は、ダウンリンクトラヒック制御チャンネルをダウンリンクトラヒックチャンネルに関連させる情報２４８、およびダウンリンクトラヒックチャンネル制御チャンネルをアップリンクトラヒックチャンネルに関連させる情報２５０を含んでいる。情報２４８は、無線端末オンマスク情報２５２、例えば特定のダウンリンクトラヒックチャンネルセグメントを特定の割当てられたｗｔＯｎＭａｓｋおよび／または割当てられたｗｔＯｎＭａｓｋ指標値に関連付ける情報を含んでいる。情報２５０は、無線端末オンマスク情報２５４、例えば、特定のダウンリンクトラヒックチャンネルセグメントを特定の割当てられたｗｔＯｎＭａｓｋおよび／または割当てられたｗｔＯｎＭａｓｋ指標値に関連付ける情報を含んでいる。
【００３５】
割当てメッセージフレーミング情報２４６は、種々のタイプの割当てメッセージに属する情報、例えば、アップリンクフレーミングフォーマットを使用するフラッシュ割当て、アップリンクフレーミングフォーマットを使用するレギュラー割当て、ダウンリンクフレーミングフォーマットを使用するフラッシュ割当て、ダウンリンクフレーミングフォーマットを使用するレギュラー割当てを含んでいる。
【００３６】
ＷＴデータ／情報２６８は、複数組の無線端末データ／情報（無線端末１データ／情報２７０、…、無線端末Ｎデータ／情報２７２）を含んでいる。無線端末１データ／情報２７０は、オン状態識別子２７４、割当てられた無線端末オンマスク２７６、専用制御チャンネルモード２７８、ユーザ／装置／セッション／資源情報２８０、基地局取付け点情報２８２、ユーザデータ２８４、および割当てられたトラヒックチャンネルセグメント情報２８６を含んでいる。
【００３７】
オン状態識別子２７６は、ＤＣＣＨモジュールによってＷＴ１に割当てられたオン状態識別子、例えば１…３１の範囲の５ビット値である。割当てられたｗｔＯｎＭａｓｋ２７６は、ＤＣＣＨモジュールによってＷＴ１に割当てられたｗｔＯｎＭａｓｋ、例えば、１１１、１００、０１０、または００１のうち一つの３ビット値である。ＤＣＣＨモード２７８は、例えばｗｔＯｎＭａｓｋ＝１１１に対応する割当てられたＤＣＣＨフルトーンフォーマットモード、および、例えば割当てられたｗｔＯｎＭａｓｋ＝１００、０１０、または００１の何れかに対応するＤＣＣＨ分割トーンフォーマットモードである。オン状態識別子２７４および割当てられたｗｔＯｎＭａｓｋ：２７６は、例えば（状態遷移メッセージ１情報２５６、…、状態遷移メッセージｎ情報２５８）の一つに対応する状態遷移メッセージを介して通信される。
【００３８】
ユーザ／装置／セッション／資源情報２８０は、同定情報、およびＷＴ１のユーザに対応するユーザプロファイル情報、ＷＴ１装置同定情報、ＷＴ１装置タイプ情報、ＷＴ１装置パラメータ情報、ピアノード情報を含むセッション情報、状態情報、ルーティング情報、セッション状態情報、およびＷＴ１に割当てられたアップリンクおよび／またはダウンリンクセグメントのような資源情報を含んでいる。基地局取付け点情報２５２は、ＷＴ１を、基地局セクターに対応する特定の基地局取付け点、およびアップリンク／ダウンリンクトーンブロック対に関連付ける情報を含んでいる。ユーザデータ２８４は、例えば音声データ、オーディオデータ、画像データ、テキストデータ、ファイルデータ等を含んでいる。ユーザデータ２８４は、ダウンリンクトラヒックチャンネルセグメントにおいてＷＴ１に通信されるべきユーザデータ、ＷＴ１に通信されることを意図した受信されたユーザデータ、および別のピアノードに通信されることを意図してＷＴ１から供給されるユーザデータを含んでいる。割当てられたトラヒックチャンネルセグメント情報２８６は、ＷＴ１に割当てられるアップリンクおよび／またはダウンリンクトラヒックチャンネルセグメントを同定する情報を含んでいる。
【００３９】
幾つかの実施形態において、基地局における種々のモジュールおよび／または情報は、セクター毎のベースまたは取付け点毎のベースで実施される。
【００４０】
図３は、例示的な無線端末３００、例えば種々の実施形態に従って実施されるモバイルノードの図である。例示的無線端末３００は、図１のシステムにおける無線端末の何れかであってよい。無線端末３００は、受信機モジュール３０２、送信モジュール３０４、プロセッサ３０６、ユーザＩ／Ｏ装置３０８、およびバス３１２を介して一緒に結合されたメモリー３１０を含んでおり、前記バス３１２の上で種々の素子がデータおよび情報を交換することができる。メモリー３１０は、ルーチン３１８およびデータ／情報３２０を含んでいる。プロセッサ３０６、例えばＣＰＵはルーチン３１８を実行し、メモリー３１０の中のデータ／情報３２０を使用して無線端末３００の動作を制御し、方法を実行する。
【００４１】
受信機モジュール３０２、例えばＯＦＤＭ受信機は受信アンテナ３０３に結合され、該アンテナを介して、無線端末３００は基地局からダウンリンク信号を受信する。受信されたダウンリンク信号は、状態遷移メッセージ信号、ダウンリンクトラヒック制御チャンネルセグメント信号、およびダウンリンクトラヒックチャンネルセグメント信号を含んでいる。状態遷移メッセージの少なくとも幾つかは、無線端末オン識別子およびｗｔＯｎＭａｓｋを指示する情報を含んでいる。ダウンリンクトラヒック制御チャンネルセグメント信号は、アップリンクおよび／またはダウンリンクトラヒックチャンネルセグメントに対応する割当てメッセージを含んでおり、前記割当てメッセージの少なくとも幾つかはｗｔＯｎＭａｓｋ指標値を含んでいる。ダウンリンクトラヒックチャンネルセグメント信号は、ユーザデータ、例えば音声データ、オーディオデータ、テキストデータ、画像データ、ファイルデータ等を運ぶ。受信機モジュール３０３は、受信されたダウンリンク信号の少なくとも幾つかを復号するための復号器３１４を含んでいる。
【００４２】
送信モジュール３０４、例えばＯＦＤＭ送信機は送信アンテナ３０５に結合され、該アンテナを介して、無線端末は基地局へとアップリング信号を送信する。送信されたアップリンク信号は、状態遷移の要求、アップリンク専用制御チャンネルセグメント信号を含むアップリンク制御チャンネルセグメント信号、およびアップリンクトラヒックチャンネルセグメント信号を含んでいる。送信モジュール３０４は、送信に先立ってアップリング信号の少なくとも幾つかを符号化するための符号化器３１６を含んでいる。幾つかの実施形態では、例えば二重通信モジュールに関連して、受信機および送信機のために同じアンテナが用いられる。
【００４３】
ユーザＩ／Ｏ装置３０８、例えばマイクロホン、キーパッド、キーボード、スイッチ、カメラ、スピーカ、ディスプレー等は、無線端末ＷＴ３００のユーザが、データ／情報を入力し、出力データ／情報にアクセスし、アプリケーションを制御することを可能にする。加えて、ユーザＩ／Ｏ装置３０８は、ＷＴ３００の種々の機能を制御するように、例えば通信セッションを開始するようにＷＴ３００の動作を可能にする。
【００４４】
ルーチン３１８は、通信ルーチン３３２および無線端末制御ルーチン３２４を含んでいる。通信ルーチン３３２は、無線端末３００によって使用される種々の通信プロトコルを実行する。無線端末制御ルーチン３２４は、割当て信号処理モジュール３２６、専用制御チャンネルモジュール３２８、送信機制御モジュール３３０、および受信機制御モジュール３３２を含んでいる。
【００４５】
割当て信号処理モジュール３２６は、受信された割当て信号を処理し、受信された割当てがＷＴ３００を意図したものか否かを決定する。割当て信号処理モジュール３２６は、ＷＴ３００をフルトーンフォーマットＤＣＣＨ動作モードで動作させるときに使用するためのフラッシュ割当てチャンネル副モジュール３３４、ＷＴ３００を分割トーンフォーマットＤＣＣＨ動作モードで動作させるときに使用するためのレギュラー割当てチャンネル副モジュール３３６、ＷＴ３００をフルトーンフォーマットＤＣＣＨ動作モードで動作させるときに使用するためのレギュラー割当てチャンネル副モジュール３３８、ＷＴ３００を分割トーンフォーマットＤＣＣＨ動作モードで動作させるときに使用するためのレギュラー割当てチャンネル副モジュール３４０を含んでいる。
【００４６】
ＤＣＣＨモジュール３２８は、受信された状態情報メッセージを処理する。少なくとも幾つかの受信された状態遷移メッセージは、割当てられた無線端末がオン状態識別子および割当てられたｗｔＯｎＭａｓｋ値を割当てられることを示すメッセージである。一つの例示的実施形態において、遷移メッセージは、割当てられた無線端末識別子のための５ビット幅フィールド、および四つのｗｔＯｎＭａｓｋ値の一つを運ぶための２ビット幅フィールドを含んでいる。例えば、基地局取付け点に対応する３つのＤＣＣＨ論理トーンを含み、また分割トーンフォーマットにおいては３つ以下の端末が同じＤＣＣＨ論理トーンを割当てられてよい例示的実施形態において、無線端末は５ビットの無線端末識別子および３ビットのｗｔＯｎＭａｓｋを割当てられ、ｗｔＯｎＭａｓｋ＝１１１は、該無線端末が割当てられたオン状態識別子に対応するＤＣＣＨトーンをフルトーンフォーマットで使用するためのものであることを示し、ｗｔＯｎＭａｓｋ＝１００．０１０、または００１は、該無線端末が割当てられたオン状態識別子に対応するＤＣＣＨトーンを分割トーンフォーマットで使用するためのものであることを示す。加えて、割当てられたｗｔＯｎＭａｓｋは、割当て構造および割当て信号伝達において使用される。ＤＣＣＨモジュール３２８は、ＷＴ３００が使用するために割当てられたオン状態識別子３５６、およびＷＴ３００が使用するように割当てられている割当てられたＷＴオンマスク３５８を決定する。受信された情報から、ＷＴ３００はＤＣＣＨモード３６０、例えばそれがフルトーンフォーマットＤＣＣＨモードの動作または分割トーンフォーマットＤＣＣＨモードの動作を動作させるものであるかどうかを決定する。ＤＣＣＨモジュール３２８の決定は、割当て信号処理副モジュール対（３３４、３３８）がフルトーンＤＣＣＨモードの場合に使用されるかどうか、または割当て信号処理副モジュール対（３３６、３４０）が分割トーンフォーマットＤＣＣＨモード動作の場合に使用されるかどうかを制御する。
【００４７】
送信機制御モジュール３３０は、送信モジュール３０４の動作を制御する一方、受信機制御モジュール３３２は受信機モジュール３０２の動作を制御する。
【００４８】
データ／情報３２０は、ユーザ／装置／セッション／資源情報３４２、システムデータ／情報３４４、受信された状態遷移メッセージ情報３４６、複数の受信されたフラッシュ割当てメッセージ情報組（受信されたフラッシュ割当てメッセージ１情報３４８、…、受信されたフラッシュ割当てメッセージＮ情報３５０）、複数の受信されたレギュラー割当てメッセージ情報組（受信されたレギュラー割当てメッセージ１情報３５２、…、受信されたレギュラー割当てメッセージＮ情報３５４）、オン状態識別子３５６、割当てられた無線端末オンマスク３５８、専用制御チャンネルモード３６０、基地局取付け点情報３６２、ユーザデータ３６６、および割当てられたトラヒックチャンネルセグメント情報３６８を含んでいる。
【００４９】
ユーザ／装置／セッション／資源情報３４２は、ＷＴ３００のユーザに対応する識別子情報およびユーザプロファイル情報、ＷＴ３００装置同定情報、ＷＴ３００装置タイプ情報、ＷＴ３００装置パラメータ情報、ピアノード情報を含むセッション情報、状態情報、ルーティング情報、セッション状態情報、およびＷＴ３００に割当てられたアップリンクおよび／またはダウンリンクセグメントのような資源情報を含んでいる。基地局取付け点情報３６２は、ＷＴ３００を、基地局セクターおよびアップリンク／ダウンリンクトーンブロック対に対応する特定の基地局取付け点と関連付ける情報を含んでいる。ユーザデータ３６６は、例えば音声データ、オーディオデータ、画像データ、テキストデータ、ファイルデータ等を含んでいる。ユーザデータ３６６は、ＷＴ３００に割当てられたダウンリンクトラヒックチャンネルセグメントから受信されたユーザデータ、ＷＴ３００に割当てられたアップリンクトラヒックチャンネルセグメントを介してＷＴ３００が基地局へと送信することを意図するユーザデータ、ＷＴ３００と通信セッションしているＷＴ３００のもう一つのピアノードへと後で通信されるデータを含んでいる。割当てられたトラヒックチャンネルセグメント情報３６８は、ＷＴ３００に割当てられるアップリンクおよび／またはダウンリンクトラヒックチャンネルセグメントを同定する情報を含んでいる。
【００５０】
システムデータ／情報３４４は、複数組の基地局データ／情報（基地局１データ／情報３７０、基地局Ｍデータ／情報３７２）を含んでいる。基地局１データ／情報３７０は、ダウンリンク／アップリンクタイミング／周波数構造情報３７４および割当てメッセージフレーミング情報３７６を含んでいる。ダウンリンクアップリンクタイミング／周波数構造情報３７４は、再帰チャンネル構造情報、アップリンクおよびダウンリンクトーンブロック情報、キャリア周波数情報、ＯＦＤＭシンボルタイミング情報、ハーフスロット、スロット、スーパースロット、ビーコンスロット、ウルトラスロット等のようなＯＦＤＭシンボルのグループ分けに関する方法、並びにアップリンクおよびダウンリンクトーンホッピング情報を含んでいる。ＤＬ／ＵＬタイミング／周波数構造情報３７４はまた、ダウンリンクトラヒック制御チャンネルをダウンリンクトラヒックチャンネルに関連させる情報３７８、およびダウンリンクトラヒック制御チャンネルをアップリンクトラヒックチャンネルに関連させる情報３８０を含んでいる。情報３７８は、無線端末オンマスク情報３８２、例えば特定のダウンリンクトラヒックチャンネルセグメントを特定の割当てられたｗｔＯｎＭａｓｋｓおよび／または割当てられたｗｔＯｎＭａｓｋ指標値と関連付ける情報を含んでいる。情報３８０は、無線端末オンマスク情報３８４、例えば特定のダウンリンクトラヒックチャンネルセグメントを特定の割当てられたｗｔＯｎＭａｓｋｓおよび／または割当てられたｗｔＯｎＭａｓｋ指標値と関連付ける情報を含んでいる。
【００５１】
割当てメッセージフレーミング情報３７６は、種々のタイプの割当てメッセージに属する情報、例えば、アップリンクフレーミングフォーマットを使用するフラッシュ割当て、アップリンクフレーミングフォーマットを使用するレギュラー割当て、ダウンリンクフレーミングフォーマットを使用するフラッシュ割当て、ダウンリンクフレーミングフォーマットを使用するレギュラー割当てを含んでいる。
【００５２】
受信されたフラッシュ割当てメッセージ１情報３４８は、受信されたフラッシュ割当てメッセージに属する情報、例えば、モジュール３３４および３３６の一つに入力される情報および該モジュールから回収される情報を含んでいる。受信されたレギュラー割当て１情報３５２は、受信されたレギュラー割当てメッセージに属する情報、例えば、モジュール３３８および３３４の一つに入力される情報および該モジュールから回収される情報を含んでいる。
【００５３】
図４は、種々の実施形態に従って実施される例示的基地局４０２および複数の例示無線端末（ＷＴ１：１０４、…、ＷＴＮ：４０５）を含んでいる。例示的基地局４０２は、図１の何れの例示的基地局であってもよく、例示的無線端末４０４、４０５は、図１の何れの例示的無線端末であってもよい。例示的基地局４０２は、状態遷移メッセージ４０６を無線端末４０４に送信し、状態遷移メッセージ４０６はＷＴオン識別子４０８およびｗｔＯｎＭａｓｋ４１０を含んでいる。例示的基地局４０２はまた、状態遷移メッセージ４０７を無線端末４０５に送信し、該状態遷移メッセージ４０７はＷＴオン識別子４０９およびｗｔＯｎＭａｓｋ４１１を含んでいる。
【００５４】
例示的基地局４０２は、一組の専用制御チャンネルトーン（ＤＣＣＨチャンネルトーン１：４１２、…、ＤＣＣＨチャンネルトーン３１：４１４）を使用し、各トーンはＷＴオン識別子と関連付けられる。この例示的実施形態において、ＷＴは、フルトーンＤＣＣＨモードまたは分割トーンＤＣＣＨモードの何れかで動作するように命令されることができる。フルトーンＤＣＣＨモードにおいて、ＷＴは（１…３１）の範囲のＷＴオン識別子およびｗｔＯｎＭａｓｋ＝１１１を受信する。例えば、フルトーンフォーマットのＤＣＣＨチャンネルトーン１に対応して、ＷＴオン識別子＝１：４１６およびｗｔＯｎＭａｓｋ＝１１１：４１８である。同様に、フルトーンフォーマットのＤＣＣＨチャンネルトーン３１に対応して、ＷＴオン識別子＝３１：４２０およびｗｔＯｎＭａｓｋ＝１１１：４２２である。分割トーンＤＣＣＨモードにおいて、ＷＴは、（１…３１）の範囲のＷＴオン識別子、および００１，０１０、または１００の一つに等しいｗｔＯｎＭａｓｋを受信する。分割トーンモードにおいて、同じ論理ＤＣＣＨチャンネルトーンは、三つ以下の異なるＷＴと関連付けられることができる。例えば、分割トーンフォーマットのＤＣＣＨチャンネルトーン１に対応して、第一のＷＴは、ＷＴオン識別子＝１：４２４およびｗｔＯｎＭａｓｋ＝００１：４２６を含む状態遷移メッセージを送ることができ、第二のＷＴは、ＷＴオン識別子＝１：４２８およびｗｔＯｎＭａｓｋ＝０１０：４３０を含む状態遷移メッセージを送ることができ、また第三のＷＴは、ＷＴオン識別子＝１：４３２およびｗｔＯｎＭａｓｋ＝１００：４３４を含む状態遷移メッセージを送ることができる。同様に、分割トーンフォーマットのＤＣＣＨチャンネルトーン３１に対応して、第一のＷＴは、ＷＴオン識別子＝３１：４３６およびｗｔＯｎＭａｓｋ＝００１：４３８を含む状態遷移メッセージを送ることができ、第二のＷＴは、ＷＴオン識別子＝３１：４４０およびｗｔＯｎＭａｓｋ＝０１０：４４２を含む状態遷移メッセージを送ることができ、また第三のＷＴは、ＷＴオン識別子＝３１：４４４およびｗｔＯｎＭａｓｋ＝１００：４４６を含む状態遷移メッセージを送ることができる。
【００５５】
幾つかの実施形態では、状態遷移メッセージにおいて、無線端末オン識別子は５ビット幅フィールドを介して通信され、また無線端末オンマスクは２ビット幅フィールドを介して通信される。
【００５６】
図５は、種々の実施形態に従って実施される例示的基地局５０２、および例示的無線端末５０４を含む図５００である。例示的基地局５０２は、図１の何れの例示的基地局であってもよく、また例示的無線端末５０４は図１の何れの例示的無線端末であってもよい。例示的基地局５０２は、フラッシュトラヒックチャンネル割当てメッセージ５０６およびレギュラートラヒックチャンネル割当てメッセージ５０８を送信する。例えば、幾つかの実施形態において、特定の取付け点についての基地局５０２に対応するアップリンクおよびダウンリンクのトラヒックチャンネル、例えばセクターおよびトーンブロックは、反復パターンのインデックスされたセグメントに区分される。幾つかの実施形態においては、割当てメッセージと対応する割当てられるトラヒックチャンネルセグメントの間に予め定められたタイミング関係が存在する。
【００５７】
この例示的実施形態において、各フラッシュトラヒックチャンネル割当てメッセージ５０６は一つのトラヒックチャンネルセグメントに対応し、また該割当てが向けられるＷＴを同定するために使用される５ビットのＷＴオン識別子５１０を含んでいる。フラッシュＴＣＨ割当てメッセージ５０６によって割当てられる該トラヒックチャンネルセグメントは、アップリンクトラヒックチャンネルセグメントおよびダウンリンクトラヒックチャンネルセグメントの一つである。  
この例示的実施形態において、各レギュラートラヒックチャンネルセグメント割当てメッセージ５０８は、三つの異なるトラヒックチャンネルセグメントに対応し、また第一の割当て情報５１２、第二の割当て情報５１８、および第三の割当て情報５２４を含んでいる。第一の割当て情報５１２は、ＷＴオン識別子（５ビット）５１４およびｗｔＯｎＭａｓｋ識別子（１ビット）５１６を含んでいる。第二の割当て情報５１８は、ＷＴオン識別子（５ビット）５２０およびｗｔＯｎＭａｓｋ識別子（１ビット）５２２を含んでいる。第三の割当て情報５２４は、ＷＴオン識別子（５ビット）５２６およびｗｔＯｎＭａｓｋ識別子（１ビット）５２８を含んでいる。各レギュラートラヒックチャンネル割当てメッセージは、次の一つのためのトラヒックチャンネルセグメント割当てを運ぶために使用される：（ｉ）二つのダウンリンクトラヒックチャンネルセグメントおよび一つのアップリンクトラヒックチャンネルセグメント、並びに（ｉｉ）一つのダウンリンクトラヒックチャンネルセグメントおよび二つのアップリンクトラヒックチャンネルセグメント。
【００５８】
図６Ａ、図６Ｂおよび図６Ｃの組合せを含んでなる図６は、種々の実施形態に従って、無線端末を動作させる例示的方法のフローチャートである。該例示的方法の動作はステップ６０２で開始し、ここでは無線端末に電力が供給されて初期化される。動作はステップ６０２からステップ６０４へと進み、ここでは無線端末が、ＷＴオン識別子およびｗｔＯｎＭａｓｋを通信する状態遷移メッセージを受信する。例えば、状態遷移メッセージは、基地局セクター取付け点によって送信される。例えば、基地局セクター取付け点は、ダウンリンクトーンブロックおよび対応するアップリンクトーンブロックを使用し、また複数の無線端末とのオン状態接続を同時にサポートすることができる。ＷＴオン識別子は、ＷＴを複数の専用制御チャンネルアップリンク論理トーンの一つと関連付ける基地局割当ての識別子である。該例示的実施形態におけるｗｔＯｎＭａｓｋは、以下のうちの一つである：００１、０１０、１００、および１１１。パターン００１、０１０、１００は、該ＷＴが分割トーンＤＣＣＨモードの動作にあることを意味する。パターン１１１は、ＷＴがフルトーンＤＣＣＨモードにあることを意味する。
【００５９】
動作はステップ６０４からステップ６０６へと進み、そこでＷＴは、ＷＴに向けられた受信された状態遷移メッセージの通信されたｗｔＯｎＭａｓｋが、割当てられたトラヒックチャンネルセグメントが該ＷＴのためのものであるかどうかを決定するためにｗｔＯｎＭａｓｋ割当て信号を評価する必要がないことを示しているかどうかををチェックする。例えば、もし受信された状態遷移メッセージの通信されたｗｔＯｎＭａｓｋが１１１であれば、該ＷＴはフルトーンＤＣＣＨモードにあるはずであり、割当てが該ＷＴのためのものであるかどうかを決定するためにｗｔＯｎＭａｓｋ割当て信号情報を評価する必要はなく、動作はステップ６０６からステップ６０８へと進む。しかし、もし通信された状態遷移メッセージのｗｔＯｎＭａｓｋが００１，０１０および１００のうちの一つであれば、該ＷＴは分割トーンＤＣＣＨモードにあるはずであり、ＷＴは、割当てが該ＷＴのためのものであるかどうかを決定するためにｗｔＯｎＭａｓｋ割当て信号情報を評価し、動作はステップ６０６からステップ６１６へと進む。
【００６０】
ステップ６０８において、無線端末は割当てメッセージを受信する。動作は、各受信された割当てメッセージについてステップ６０８からステップ６１０へと進みむ。ステップ６１０において、無線端末は、受信された割当てメッセージがフラッシュ割当てであるかレギュラー割当てであるかに応じて異なる経路に沿って進む。幾つかの実施形態において、フラッシュ割当ては、レギュラー割当て信号について使用されるよりも高い、非ゼロ変調シンボル上でのトーン当り送信電力を使用して通信される。幾つかの実施形態において、フラッシュ割当ては、フラッシュ割当てチャンネルセグメントのトーンシンボルと関連付けられたゼロおよび非ゼロ変調シンボル値の組合せを使用した信号伝達を含むのに対して、レギュラー割当てチャンネルセグメントは、レギュラー割当てチャンネルセグメントの各トーンシンボルについて非ゼロ変調シンボル値を使用する。受信された割当てメッセージがフラッシュ割当てであれば、動作は、ＧＯＴＯステップ６１２を経由して、ステップ６１０から副ルーチン１：６２６へと進む。受信された割当てメッセージが レギュラー割当てであれば、動作は、該レギュラー割当てメッセージに含まれる複数のトラヒックチャンネル割当て、例えば三つのトラヒックチャンネル割当ての各々について、ステップ６１０からＧＯＴＯステップ６１４を経由して副ルーチン２：６５０へと進む。
【００６１】
次に、トラヒックチャンネルセグメントのフラッシュ割当てがＷＴに対応するか否かを決定するために使用される、例示的副ルーチン１：６２６を説明する。ステップ６２８において、ＷＴは、予め定められた反復構造におけるセグメント位置から、当該セグメント割当てに対応するｗｔＯｎＭａｓｋを決定する。例えば、一つの例示的実施形態において、アップリンクトラヒックチャンネルは、２８のインデックスされたアップリンクトラヒックチャンネルセグメントを含み、これらはフラッシュ割当て信号を介して割当てられる。分割トーンＤＣＣＨ動作モードを考慮すると、２８のアップリンクトラヒックチャンネルセグメントのうち、第一の組の１０個のアップリンクトラヒックチャンネルセグメントは、そのｗｔＯｎＭａｓｋが００１に設定されたＷＴに個別に割当てられてよく、第二の組の９個のアップリンクトラヒックチャンネルセグメントは、そのｗｔＯｎＭａｓｋを０１０に設定されたＷＴに個別に割当てられてよく、また第三の組の９個のアップリンクトラヒックチャンネルセグメントは、そのｗｔＯｎＭａｓｋを１００に設定されたＷＴに個別に割当てられてよく、これら第一、第二、および第三の組は非重なりの組である。
【００６２】
例えば、一つの例示的実施形態において、インデックス値（３、１３、２２、３０、３８、４７、５４、６１、７１、および０）を有するアップリンクトラヒックチャンネルセグメントは第一の組を形成し；インデックス値（６、１６、２５、３２、３９、４９、５７、６６、および７４）を有するアップリンクトラヒックチャンネルセグメントは第二の組を形成し；インデックス値（１０、１９、２８、３５、３４、５２、５８、６８、および７６）を有するアップリンクトラヒックチャンネルセグメントは第三の組を形成する。同様の方法において、フラッシュ割当てを介して割当てられるダウンリンクトラヒックチャンネルセグメントの組は、分割トーンＤＣＣＨモードの動作にあるＷＴに割当てられてよい三つのｗｔＯｎＭａｓｋ値の間で区分される。
【００６３】
動作はステップ６２８からステップ６３０へと進む。ステップ６３０において、ＷＴは、割当てられたセグメントに対応する決定されたｗｔＯｎＭａｓｋを、状態遷移メッセージからのｗｔＯｎＭａｓｋと比較する。動作はステップ６３０からステップ６３２へと進む。ステップ６３２において、ＷＴは、割当てられたセグメントが当該ＷＴへのものであり得ることを該比較が示すかどうかを決定する。例えば、この例示的実施形態において、もし遷移メッセージからのｗｔＯｎＭａｓｋがセグメント割当てに対応するｗｔＯｎＭａｓｋに一致すれば、それは割当てられたセグメントが当該ＷＴへのものであり得ることを示し、動作はステップ６３２からステップ６３４へと進む；そうでなければ、分割トーンＤＣＣＨモードにあるＷＴは、該セグメントを割当てられることから排除され、動作はステップ６３２からステップ６４０へと進む。
【００６４】
幾つかの実施形態において、分割トーンＤＣＣＨモードのＷＴはＤＣＣＨチャンネルトーンの二つの部分を割当てられてよく、斯かるＷＴはｗｔＯｎＭａｓｋ＝０１１、１０１または１１０を受信してよい。幾つかの斯かる実施形態において、前記割当て信号に対応するｗｔＯｎＭａｓｋは００１、０１０、および１００の一つであり、割当てメッセージを表す遷移メッセージのｗｔＯｎＭａｓｋにおける同じ位置ビットの何れかのビット幅論理ＡＮＤが１に等しければ、当該トラヒックチャンネルセグメントは該ＷＴに割当てられる。 例えば、もし遷移メッセジからのｗｔＯｎＭａｓｋが００１または０１０であり、該割当てメッセージを表すｗｔＯｎＭａｓｋが００１または０１０であれば、該ＷＴは該セグメントを割当てられてよい；しかし、遷移メッセージからのｗｔＯｎＭａｓｋが０１１であり、該割当てメッセージを表すｗｔＯｎＭａｓｋが１００であれば、該ＷＴは該セグメントを割当てられることから排除される。
【００６５】
ステップ６３４において、ＷＴは、割当てメッセージに含められた情報から、例えば５ビットのＷＴオン識別子フィールドからのセグメント割当てに対応するＷＴオン識別子を決定する。動作はステップ６３４からステップ６３６へと進む。ステップ６３６において、当該ＷＴは、該セグメントに対応する決定されたＷＴオン識別子が状態遷移メッセージからのＷＴオン識別子に一致するかどうかを試験する。一致が存在すれば、該ＷＴはステップ６３８へと進み、ここで、副ルーチン１は割当てられたトラヒックチャンネルセグメントが当該ＷＴのためのものであるとの指示を戻す。一致が存在しなければ、動作はステップ６４０へと進む。ステップ６４０において、副ルーチン１は、割当てられたトラヒックチャンネルが当該ＷＴのためのものではないとの指示を戻す。
【００６６】
次に、トラヒックチャンネルセグメントのレギュラー割当てが、当該ＷＴに対応するかどうかを決定するために使用される例示的副ルーチン２：６５０を説明する。ステップ６５２において、ＷＴは、予め定められた反復構造におけるセグメント位置から、セグメント割当てに対応し得る二つの代替的ｗｔＯｎＭａｓｋsを決定する。例えば、一つの例示的実施形態において、アップリンクトラヒックチャンネルは、レギュラー割当て信号を介して割当てられる４９個のインデックスされたアップリンクトラヒックチャンネルセグメントを含んでいる。分割トーンＤＣＣＨモードの動作を考慮すれば、４９個のアップリンクトラヒックチャンネルセグメントのうち、第一の組の１７個のアップリンクトラヒックチャンネルセグメントは、そのｗｔＯｎＭａｓｋが００１または０１０に設定されるＷＴに個別に割当てられてよく、第二の組の１６個のアップリンクトラヒックチャンネルセグメントは、そのｗｔＯｎＭａｓｋが０１０または１００に設定されるＷＴに個別に割当てられてよく、第三の組の１６個のアップリンクトラヒックチャンネルセグメントは、そのｗｔＯｎＭａｓｋが１００または００１に設定されるＷＴに個別に割当てられてよく、前記第一、第二および第三の組は非重なり組である。例えば、一つの例示的実施形態において、インデックス値が（４、８、１２、１７、２１、２６、３１、３６、４０、４５、５０、５５、６０、６４、６９、７３、および２）であるアップリンクトラヒックチャンネルセグメントは第一の組を形成し；インデックス値が（７、１１、１５、２０、２４、２９、３４、４１、４３、４８、５３、５９、６３、６７、７２、および１）のアップリンクトラヒックチャンネルセグメントは第二の組を形成し；インデックス値が（５、９、１４、１８、２３、２７、３３、３７、４２、４６、５１、５６、６２、６５、７０、および７５）のアップリンクトラヒックチャンネルセグメントは第三の組を形成する。同様の方法で、レギュラー割当てを介して割当てられる一組のダウンリンクトラヒックチャンネルセグメントが、分割トーンＤＣＣＨモードの動作にあるＷＴに割当てられ得るｗｔＯｎＭａｓｋ値と関連付けられる。
【００６７】
動作はステップ６５２からステップ６５４へと進む。ステップ６５４において、ＷＴは、割当てメッセージに含められた情報からセグメント割当てに対応するｗｔＯｎＭａｓｋを決定する。例えば、割当てメッセージに含められる１ビットのｗｔＯｎＭａｓｋ識別子ビットは、基地局が、ステップ６５２の二つの代替的な潜在的ｗｔＯｎＭａｓｋsの間で選択することを可能にする。例えば、該割当てがインデックス値＝４の例示的アップリンクトラヒックチャンネルセグメントに対応し、またステップ６５２の二つの代替的ｗｔＯｎＭａｓｋsが００１および０１０であると考えよう。もし、割当てメッセージに含められたｗｔＯｎＭａｓｋ識別子ビットが０であれば、それは、割当てられたｗｔＯｎＭａｓｋ＝００１であることを示す；しかし、割当てメッセージに含められたｗｔＯｎＭａｓｋ識別子ビットが１であれば、それは、割当てられたｗｔＯｎＭａｓｋ＝０１０であることを示す。ステップ６５６において、ＷＴは、セグメント割当てに対応する決定されたｗｔＯｎＭａｓｋを、状態遷移メッセージからのｗｔＯｎＭａｓｋと比較する。動作プロセスはステップ６５６からステップ６５８へと進む。ステップ６５８において、ＷＴは、前記比較が割当てられたセグメントは該ＷＴであり得ることを示すかどうかを決定する。例えば、この例示的実施形態において、遷移メッセージからのｗｔＯｎＭａｓｋがセグメント割当てに対応するｗｔＯｎＭａｓｋと一致すれば、それは該割当てられたセグメントが該ＷＴへのものであり得ることを示し、動作はステップ６５８からステップ６６０へと進む；そうでなければ、分割トーンＤＣＣＨモードにあるＷＴは該セグメントを割当てられることから排除され、動作はステップ６５８からステップ６６６へと進む。
【００６８】
幾つかの実施形態において、分割トーンＤＣＣＨモードにあるＷＴは、ＤＣＣＨチャンネルトーンの二つの部分を割当てられてよく、斯かるＷＴはｗｔＯｎＭａｓｋ＝０１１，１０１または１１０を受信してよい。幾つかの斯かる実施形態において、割当てにおいて示されたｗｔＯｎＭａｓｋは００１、０１０、および１００のうちの一つであり、送信メッセージのｗｔＯｎＭａｓｋにおける同じ位置ビットの何れかのビット様論理ＡＮＤが、該割当てメッセージのｗｔＯｎＭａｓｋにおける対応する位置ビットと共に１に等しければ、当該トラヒックチャンネルセグメントは該ＷＴに割当てられてよい。 例えば、送信メッセージからのｗｔＯｎＭａｓｋが０１１であり、割当てメッセージを表すｗｔＯｎＭａｓｋが００１または０１０であれば、該ＷＴは当該セグメントを割当てられてよい：しかし、送信メッセージからのｗｔＯｎＭａｓｋが０１１であり、割当てメッセージを表すｗｔＯｎＭａｓｋが１００であれば、該ＷＴは当該セグメントを割当てられることから排除される。
【００６９】
ステップ６６０において、ＷＴは、割当てメッセージに含められた情報から、例えば５ビットのＷＴオン識別子フィールドから、セグメント割当てに対応するＷＴオン識別子を決定する。動作はステップ６６０からステップ６６２へと進む。ステップ６６２において、ＷＴは、該セグメントに対応する決定されたＷＴオン識別子が、状態遷移メッセージからのＷＴオン識別子と一致するかを試験する。一致が存在すれば、該ＷＴはステップ６６４へと進み、そこでは副ルーチン２が、割当てられたトラヒックチャンネルセグメントは当該ＷＴのためのものであるとの指示を戻す。一致が存在しなければ、動作はステップ６６６に進む。ステップ６６６において、副ルーチンは、割当てられたトラヒックチャンネルセグメントは当該ＷＴのためのものでないとの指示を戻す。
【００７０】
ステップ６１６に戻ると、ステップ６１６では、ＷＴが割当てメッセージを受信する。割当てメッセージに含められた各トラヒックチャンネルについて、動作はステップ１６１からステップ６１８へと進む。ステップ６１８において、ＷＴは、割当てメッセージに含められた情報から、例えば割当てメッセージにおける５ビットのＷＴオン識別子情報から、セグメント割当てに対応するＷＴオン識別子を決定する。動作はステップ６１８からステップ６２０へと進む。ステップ６２０において、ＷＴは、該セグメントに対応する決定されたＷＴオン識別子が、状態遷移メッセージからのＷＴオン識別子と一致するかどうかを決定する。一致が存在すれば、該ＷＴはステップ６２０からステップ６２２へと進み、そこでＷＴは、割当てられたトラヒックチャンネルセグメントが当該ＷＴのためのものであることを認識する。一致が存在しなければ、動作はステップ６２４へと進む。ステップ６２４において、無線端末は、割当てられたトラヒックチャンネルセグメントが当該ＷＴのためのものでないことを認識する。
【００７１】
図７は、例示的ダウンリンクトラヒック制御チャンネル（ＤＬ．ＴＣＣＨ．）におけるダウンリンクトラヒックチャンネル（ＤＬ．ＴＣＨ）割当ての例示的明細の表７００である。表７００の情報は、ＤＬ．ＴＣＣＨ．を無線端末３００におけるＤＬ．ＴＣＨ３７８に関連させる情報、およびＤＬ．ＴＣＣＨ．を基地局２００におけるＤＬ．ＴＣＨ２４８に関連させる情報に対応してよい。表７００において、もし割当てフィールドがフレーミングフォーマット中に存在しなければ、対応するエントリーは「Ｎ／Ａ」でマークされる。それがＤＬ．ＴＣＣＨ．セグメントを割当てるスーパースロットの直後に続くスーパースロットで始まるならば、割当てられたＤＬ．ＴＣＨセグメントは陰影によってマークされる。
【００７２】
第一欄７０２の「列インデックス」は、列インデックスを特定する。与えられた列インデックスについて、一つの列は、割当てられたＤＬ．ＴＣＨセグメントのインデックスおよび割当てられたＤＬ．ＴＣＨセグメントのｗｔＯｎＭａｓｋに関する情報を特定する。第二欄７０４の「フレーミングフォーマット」は、与えられた列インデックスについての、ダウンリンクトラヒック制御チャンネルフラッシュ（ＤＬ．ＴＣＣＨ．フラッシュ）およびダウンリンク トラヒック制御チャンネルレギュラー（ＤＬ．ＴＣＣＨ．レギュラー）セグメントに使用されるフレーミングフォーマットを特定する。
【００７３】
第三欄７０６の「ＤＬ．ＴＣＣＨ．フラッシュにおける割当てられたＤＬ．ＴＣＨ．セグメントのインデックス」は、ＤＬ．ＴＣＣＨ．フラッシュによって割当てられたＤＬ．ＴＣＨ．セグメントのインデックスを特定する。
【００７４】
第四欄７０８の「ＤＬ．ＴＣＣＨ．フラッシュにおける割当てられたｗｔＯｎＭａｓｋ」は、第三欄７０６におけるＤＬ．ＴＣＨセグメントへの割当てられたｗｔＯｎＭａｓｋを特定する。「ｓ」は、与えられたスロットにおけるＤＬ．ＴＣＣＨ．フラッシュおよびＤＬ．ＴＣＣＨ．レギュラーセグメントのセグメントインデックスを意味する。幾つかの実施形態において、ｓは、０…６３の範囲の整数である。
【００７５】
第五欄７１０の「ＤＬ．ＴＣＣＨ．レギュラーＤＬ．ＴＣＨ割当て０における割当てられたられたＤＬ．ＴＣＨセグメントのインデックス」は、ＤＬ．ＴＣＣＨ．レギュラーセグメントのＤＬ．ＴＣＨ割当て０フィールドによって割当てられたＤＬ．ＴＣＨセグメントのインデックスを特定する。第六欄７１２の「ＤＬ．ＴＣＣＨ．レギュラーＤＬ．ＴＣＨ割当て０における割当てられたｗｔＯｎＭａｓｋ」は、第五欄７１０で特定されたＤＬ．ＴＣＨセグメントにおいて使用される二つの可能なｗｔＯｎＭａｓｋを特定する。ＤＬ．ＴＣＣＨ．レギュラーセグメントのＤＬ．ＴＣＨ割当てフィールドにおける「割当てられたｗｔＯｎＭａｓｋ」は、二つの可能なｗｔＯｎＭａｓｋのうちで、何れの方が実際に割当てられるかを特定する；「オンマスク」副フィールドが０であれば、第六欄７１２の最初のものが、ＤＬ．ＴＣＨセグメントへの割当てられたｗｔＯｎＭａｓｋである；もし「オンマスク」副フィールドが１であれば、第六欄７１２における二番目のものが、ＤＬ．ＴＣＨセグメントへの割当てられたｗｔＯｎＭａｓｋである。
【００７６】
第七欄７１４の「ＤＬ．ＴＣＣＨ．レギュラーＤＬ．ＴＣＨ割当て１における割当てられたられたＤＬ．ＴＣＨセグメントのインデックス」は、ＤＬ．ＴＣＣＨ．レギュラーセグメントのＤＬ．ＴＣＨ割当て１フィールドによって割当てられたＤＬ．ＴＣＨセグメントのインデックスを特定する。第八欄７１６の「ＤＬ．ＴＣＣＨ．レギュラーＤＬ．ＴＣＨ割当て１における割当てられたｗｔＯｎＭａｓｋ」は、第七欄７１４で特定されたＤＬ．ＴＣＨにセグメントおいて使用される二つの可能なｗｔＯｎＭａｓｋを特定する。ＤＬ．ＴＣＣＨ．レギュラーセグメントのＤＬ．ＴＣＨ割当てフィールドにおける「割当てられたｗｔＯｎＭａｓｋ」は、二つの可能なｗｔＯｎＭａｓｋのうちで、何れの方が実際に割当てられるかを特定する；「オンマスク」副フィールドが０であれば、第八欄７１６の最初のものが、ＤＬ．ＴＣＨセグメントへの割当てられたｗｔＯｎＭａｓｋである；もし「オンマスク」副フィールドが１であれば、第八欄７１６における二番目のものが、ＤＬ．ＴＣＨセグメントへの割当てられたｗｔＯｎＭａｓｋである
次に、表７００の使用を示す例を説明する。ｓ＝６を考えてみよう。なお、ｍｏｄ（ｓ，８＝６、ここでｓ＝６である。従って、列インデックス＝６をチェックする。ＤＬ．ＴＣＣＨ．フラッシュセグメントにはＤＬ．ＴＣＨ割当ては存在しない。ＤＬ．ＴＣＣＨ．レギュラーセグメントの「ＤＬ．ＴＣＨ割当て０」フィールドは、ＤＬ．ＴＣＨセグメント［１４］のための割当てを特定し、０ｂ００１または０ｂ０１０の何れかが、「ＤＬ．ＴＣＨ割当て０」フィールドの「オンマスク」副フィールドに依存して、ＤＬ．ＴＣＨセグメント［１４］への割当てられたｗｔＯｎＭａｓｋであることができる。「オンマスク」副フィールドが０であれば、割当てられたｗｔＯｎＭａｓｋは０ｂ００１である。従って、該割当てられたＷＴのｗｔＯｎＭａｓｋは、０ｂ００１または０ｂ１１１の何れかであることができる。「オンマスク」副フィールドが１であれば、割当てられたｗｔＯｎＭａｓｋは０ｂ０１０である。従って、割当てられたＷＴのｗｔＯｎＭａｓｋは、０ｂ０１０または０ｂ１１１の何れかであることができる。ＤＬ．ＴＣＣＨ．レギュラーセグメントの「ＤＬ．ＴＣＨ割当て１」フィールドは、ＤＬ．ＴＣＨセグメント［１５］のための割当てを特定し、「ＤＬ．ＴＣＨ割当て１」フィールドの「オンマスク」副フィールドに応じて、０ｂ１００または０ｂ００１の何れかが、ＤＬ．ＴＣＨセグメント［１５］への割当てられたｗｔＯｎＭａｓｋであることができる。もし、「オンマスク」副フィールドが０であれば、割当てられたｗｔＯｎＭａｓｋは０ｂ１００である。従って、割当てられたＷＴのｗｔＯｎＭａｓｋは、０ｂ１００または０ｂ１１１の何れかであることができる。「オンマスク」副フィールドが１であれば、割当てられたｗｔＯｎＭａｓｋは、０ｂ００１である。従って、割当てられたＷＴのｗｔＯｎＭａｓｋは、０ｂ００１または０ｂ１１１の何れかであることができる。
【００７７】
次に、ｓ＝５を考えてみよう。なお、ｍｏｄ（ｓ，８）＝７、ここでｓ＝１５である。従って、列インデックス＝７をチェックする。ＤＬ．ＴＣＣＨ．フラッシュおよびＤＬ．ＴＣＣＨ．レギュラー割当て［１５］は、ダウンリンクフレーミングフォーマットを使用する。ＤＬ．ＴＣＣＨ．フラッシュセグメントの「ＤＬ．ＴＣＨ割当て０」フィールドは、ＤＬ．ＴＣＨ［１］のための割当ておよびｗｔＯｎＭａｓｋを特定し、ＤＬ．ＴＣＨセグメント［１］に割当てられるＷＴのｗｔＯｎＭａｓｋは、１＜＜ｍｏｄ（（１５−１）／２，３）＝０ｂ０１０であり、ここでの演算子「＜＜」は、ビット様式での左方シフトを表す。ＤＬ．ＴＣＣＨ．レギュラーセグメントの「ＤＬ．ＴＣＨ割当て０」フィールドは、ＤＬ．ＴＣＨセグメント［０］のための割り当てを特定し、０ｂ０１０または０ｂ１００の何れかが、「ＤＬ．ＴＣＨ割当て０」フィールドの「オンマスク」副フィールドに応じて、ＤＬ．ＴＣＨ［０］に割当てられるＷＴのｗｔＯｎＭａｓｋである。「オンマスク」副フィールドが０であれば、割当てられるｗｔＯｎＭａｓｋは０ｂ０１０である。従って、割当てられたＷＴのｗｔＯｎＭａｓｋは、０ｂ０１０または０ｂ１１１の何れかであることができる。もし、「オンマスク」副フィールドが１であれば、割当てられたｗｔＯｎＭａｓｋは０ｂ１００である。従って、割当てられたＷＴのｗｔＯｎＭａｓｋは、０ｂ１００または０ｂ１１１の何れかであることができる。「ＤＬ．ＴＣＨ割当て１」のフィールドは存在しない。なお、二つのＤＬ．ＴＣＨセグメントは両者共、ＤＬ．ＴＣＣＨ．セグメントのスーパースロットの直後に続くスーパースロットにおいて開始することに留意されたい。
【００７８】
図８Ａ、図８Ｂおよび図８Ｃの組合せを含んでなる図８は、例示的ウンリンクトラヒック制御チャンネル（ＤＬ．ＴＣＣＨ．）におけるアップリンクトラヒックチャンネル（ＵＬ．ＴＣＨ）割当ての例示的明細の表８００である。表８００の情報は、ＤＬ．ＴＣＣＨ．を無線端末３００におけるＵＬ．ＴＣＨ３８０に関連させる情報、およびＤＬ．ＴＣＣＨ．を基地局200におけるＵＬ．ＴＣＨ２５０に関連させる情報に対応してよい。表８００は、ビーコンスロットにおけるＵＬ．ＴＣＨの割当てを示している。該パターンはビーコンスロットごとに反復する。ｓ＝０：６３について、ＤＬ．ＴＣＣＨ．フラッシュセグメント［ｓ］およびＤＬ．ＴＣＣＨ．レギュラーセグメント［ｓ］により割当てられるＵＬ．ＴＣＨセグメントは、その列インデックスがｍｏｄ（ｓ−ｆｌｏｏｒ（ＢＳＳ＿ＤＬＵＬ＿ＯＦＦＳＥＴ／１４），６４）に等しい列において特定され、ここでのＢＳＳ＿ＤＬＵＬ＿ＯＦＦＳＥＴは、基地局セクターと関連した負でない整数値であり、該基地局セクターで測定したときに、どれだけの時間、ダウンリンクスーパースロットがその同時アップリンクスーパースロットに導くかを特定する。
【００７９】
表８００において、もし割当てフィールドに対応するＵＬ．ＴＣＨセグメントが存在しなければ、対応するエントリーは「Ｘ」でマーキングされ；もし、割り当てフィールド自身がフレーミングフォーマットに存在しなければ、対応するエントリーは「Ｎ／Ａ」でマークされる。
【００８０】
第一欄８０２の「列インデックス」は、列インデックスを特定する。与えられた列インデックスについて、列は、割当てられたＵＬ．ＴＣＨセグメントのインデックス、および対応するＵＬ．ＴＣＨセグメントに割当てられたＷＴのｗｔＯｎＭａｓｋに関する情報を特定する。第二欄８０４の「フレーミングフォーマット」は、与えられた列インデックスについてのＤＬ．ＴＣＣＨ．フラッシュセグメントおよびＤＬ．ＴＣＣＨ．レギュラーセグメントにおいて使用されるフレーミングフォーマットを特定する。
【００８１】
第三欄８０６の「ＤＬ．ＴＣＣＨ．フラッシュにおける割当てられたＵＬ．ＴＣＨセグメントのインデックス」は、ＤＬ．ＴＣＣＨ．フラッシュセグメントによって割当てられたＵＬ．ＴＣＨセグメントのインデックスを特定する。第四欄８０８の「ＤＬ．ＴＣＣＨ．フラッシュにおける割当てられたｗｔＯｎＭａｓｋ」は、第三欄８０６において特定されたＵＬ．ＴＣＨセグメントへの割当てられたｗｔＯｎＭａｓｋを特定する。
【００８２】
第五欄８１０の「ＤＬ．ＴＣＣＨ．レギュラー ＵＬ．ＴＣＨ割当て０における割当てられたＵＬ．ＴＣＨセグメントのインデックス」は、ＤＬ．ＴＣＣＨ．レギュラーセグメントの「ＵＬ．ＴＣＨ割当て０」フィールドによって割当てられるＵＬ．ＴＣＨセグメントのインデックスを特定する。第六欄８１２の「ＤＬ．ＴＣＣＨ．レギュラーＵＬ．ＴＣＨ割当て０」における割当てられたｗｔＯｎＭａｓｋ in ＤＬ．ＴＣＣＨ．レギュラー ＵＬ．ＴＣＨ割当て０」は、第五欄８１０において特定されたＵＬ．ＴＣＨにおいて使用される二つの可能なｗｔＯｎＭａｓｋを特定する。ＤＬ．ＴＣＣＨ．レギュラーセグメントの「ＵＬ．ＴＣＨ割当て０」フィールドの「オンマスク」副フィールドは、該二つのｗｔＯｎＭａｓｋの何れが実際に割当てられるかを特定する；もし「オンマスク」副フィールドが０であれば、第六欄８１２における最初のものが、ＵＬ．ＴＣＨセグメンに割当てられたＷＴのｗｔＯｎＭａｓｋである；もし「オンマスク」副フィールドが１であれば、欄８１２の二番目のものが、ＵＬ．ＴＣＨセグメントに割当てられたＷＴのｗｔＯｎＭａｓｋである。
【００８３】
第七欄８１４の「ＤＬ．ＴＣＣＨ．レギュラー ＵＬ．ＴＣＨ割当て１における割当てられたＵＬ．ＴＣＨセグメントのインデックス」は、ダウンリンクＴＣＣＨ．レギュラーセグメントの「ＵＬ．ＴＣＨ割当て１」フィールドによって割当てられた、ＵＬ．ＴＣＨセグメントのインデックスを特定する。第八欄８１６の「ＤＬ．ＴＣＣＨ．レギュラー ＵＬ．ＴＣＨ割当て１における割当てられたｗｔＯｎＭａｓｋ」は、第七欄８１４において特定されたＵＬ．ＴＣＨセグメントにおいて使用される二つの可能なｗｔＯｎＭａｓｋを特定する。ＤＬ．ＴＣＣＨ．レギュラーセグメントにおける「ＵＬ．ＴＣＨ割当て１」フィールドの「オンマスク」副フィールドは、二つのオンマスクのうちの何れが実際に割当てられるかを特定する；もし「オンマスク」副フィールドが０であれば、第八欄８１６における最初のものが、ＵＬ．ＴＣＨセグメントに割当てられるＷＴのｗｔＯｎＭａｓｋである；「オンマスク」副フィールドが１であれば、第六欄における二番目のものが、ＵＬ．ＴＣＨセグメントに割当てられるＷＴのｗｔＯｎＭａｓｋである。
【００８４】
次に、表８００の使用を示す例を説明する。ｓ＝６３、およびＢＳＳ＿ＤＬＵＬ＿ＯＦＦＳＥＴ＝３３を考えよう。なお、これらの条件下では、ｍｏｄ（ｓ−ｆｌｏｏｒ（ＢＳＳ＿ＤＬＵＬ＿ＯＦＦＳＥＴ／１４），６４）＝６１である。従って、列インデックス６１の列をチェックする。ＤＬ．ＴＣＣＨ．フラッシュセグメントおよび ＤＬ．ＴＣＣＨ．レギュラーセグメント［６３］は、ダウンリンクフレーミングフォーマットを使用する。ＤＬ．ＴＣＣＨ．フラッシュセグメントには、ＵＬ．ＴＣＨ は存在しない。ＤＬ．ＴＣＣＨ．レギュラーセグメントの「ＵＬ．ＴＣＨ割当て０」および「ＵＬ．ＴＣＨ割当て１」フィールドに対応するＵＬ．ＴＣＨセグメントは、両方とも存在しない。対応する「オンマスク」副フィールドはＮ／Ａに設定される。
【００８５】
次に、ｓ＝０、およびＢＳＳ＿ＤＬＵＬ＿ＯＦＦＳＥＴ＝３３を考えよう。なお、これらの条件下では、ｍｏｄ（ｓ−ｆｌｏｏｒ（ＢＳＳ＿ＤＬＵＬ＿ＯＦＦＳＥＴ／１４），６４）＝６２である。従って、列インデックスの列をチェックする。ＤＬ．ＴＣＣＨ．フラッシュおよび ＤＬ．ＴＣＣＨ．レギュラーセグメント［０］は、 アップリンクフレーミングフォーマットを使用する。該ＤＬ．ＴＣＣＨ．フラッシュセグメントの「ＵＬ．ＴＣＨ割当て ０」フィールドは、ＵＬ．ＴＣＨセグメント ［０］のための割当てを特定し、ＵＬ．ＴＣＨセグメント［０］に割当てられたｗｔＯｎＭａｓｋは、０ｂ００１である。従って、割当てられたＷＴのｗｔＯｎＭａｓｋは、０ｂ００１または０ｂ１１１の何れかであることができる。ＤＬ．ＴＣＣＨ．レギュラーセグメントの「ＵＬ．ＴＣＨ割当て０」フィールドに対応するＵＬ．ＴＣＨセグメントは存在しない。「ＵＬ．ＴＣＨ割当て１」フィールドはない。なお、 割当てられたＵＬ．ＴＣＣＨ．レギュラーセグメントは存在しないことに留意されたい。「ＵＬ．ＴＣＣＨ割当て１」フィールドはない。なお、割当てられたＵＬ．ＴＣＨセグメント［０］は、ＤＬ．ＴＣＣＨ．セグメント［０］を割当てるのと同じビーコンスロットにおいて開始する。
【００８６】
次に、ｓ＝６２、およびＢＳＳ＿ＤＬＵＬ＿ＯＦＦＳＥＴ＝３３を考えよう。なお、これらの条件下では、ｍｏｄ（ｓ−ｆｌｏｏｒ（ＢＳＳ＿ＤＬＵＬ＿ＯＦＦＳＥＴ／１４），６４）＝６０である。従って、列インデックス６０の列をチェックする。ＤＬ．ＴＣＣＨ．フラッシュおよびＤＬ．ＴＣＣＨ．レギュラーセグメント［６２］は、アップリンクフレーミングフォーマットを使用する。ＤＬ．ＴＣＣＨ．フラッシュセグメントの「ＵＬ．ＴＣＨ割当て０」フィールドは、ＵＬ．ＴＣＨセグメント［７６］のための割当てを特定し、ＵＬ．ＴＣＨセグメント［０］への割当てられたｗｔＯｎＭａｓｋは、０ｂ１００である。従って、割当てられたＷＴのｗｔＯｎＭａｓｋは、０ｂ１００または０ｂ１１１の何れかであることができる。ＤＬ．ＴＣＣＨ．レギュラーセグメントの「ＵＬ．ＴＣＨ割当て０」フィールドは、ＵＬ．ＴＣＨセグメント［７５］のための割当てを特定し、また「ＵＬ．ＴＣＨ割当て０」フィールドの「オンマスク」副フィールドに応じて、０ｂ１００または０ｂ００１の何れかが、ＵＬ．ＴＣＨセグメント［７５］への割当てられたｗｔＯｎＭａｓｋである。「オンマスク」副フィールドが０であれば、割当てられたｗｔＯｎＭａｓｋは０ｂ１００である。従って、割当てられたＷＴの ｗｔＯｎＭａｓｋ は、０ｂ１００または０ｂ１１１であることができる。「オンマスク」副フィールドが１であれば、割当てられたｗｔＯｎＭａｓｋは０ｂ００１である。従って、割当てられたＷＴのｗｔＯｎＭａｓｋは、 ０ｂ００１または０ｂ１１１の何れかであることができる。「ＵＬ．ＴＣＨ割当て１」フィールドは存在しない。 なお、この二つの割当てられたＵＬ．ＴＣＨセグメントは両者共、ＤＬ．ＴＣＣＨ．セグメントを割当てるのと同じビーコンスロットにおいて始まる。
【００８７】
一例示的実施形態の構造を説明する。アップリンクフレーミングフォーマットが使用されるならば、ＤＬ．ＴＣＣＨ．フラッシュチャンネルセグメントは、せいぜい一つのアップリンクトラヒックチャンネル割当てを運び、ダウンリンクトラヒックチャンネル割当ては運ばない。アップリンクフレーミングフォーマットが使用されるならば、ＤＬ．ＴＣＣＨ．レギュラーチャンネルセグメントは、せいぜい二つのダウンリンクトラヒックチャンネル割当てと、せいぜい一つのアップリンクトラヒックチャンネル割当てを運ぶ。
【００８８】
ダウンリンクフレーミングフォーマットが使用されるならば、ＤＬ．ＴＣＣＨ．フラッシュチャンネルセグメントは、せいぜい一つのダウンリンクトラヒックチャンネル割当てを運び、ダウンリンクトラヒックチャンネル割当てを運ばない。もしダウンリンクフレーミングフォーマットが使用されるならば、ＤＬ．ＴＣＣＨ．レギュラーチャンネルセグメントは、せいぜい一つのダウンリンクトラヒックチャンネル割当てと、せいぜい二つのアップリンクトラヒックチャンネル割当てを運ぶ。
【００８９】
この例示的実施形態においては、一つのビーコンスロット内に、６４のフラッシュ割当てセグメントおよび６４のレギュラー割当てセグメントが存在し、各割当てセグメント は、例えば表７００および８００に従った、当該構造における１以上の対応するトラヒックチャンネルセグメントへの固定されたマッピングを有している。
【００９０】
各フラッシュトラヒックチャンネル割当ては、ＤＣＣＨ分割トーンモードにおける動作に対応する固定された一つのｗｔＯｎＭａｓｋsに関連付けられる。 各レギュラートラヒックチャンネル割当ては、ＤＣＣＨ分割トーンモードでの動作に対応する二つのｗｔＯｎＭａｓｋsの何れかと関連付けられることができる。 このレギュラートラヒックチャンネル割当てに対応するレギュラー割当てメッセージは、二つの可能性の間を識別するための単一ビットのオンマスク指標を含んでいる。分割トーンモードで動作する無線端末は、オン状態識別子および指標マスクビットの両者が、当該割当てはそれ自身に向けられることを示すことを決定する必要がある。
【００９１】
フルトーンモードで動作するＷＴは、割当てがそれ自身に向けられることを決定する際にＯｎＭａｓｋを使用する必要はなく、当該メッセージに含まれるオン状態識別子の復号で充分である。
【００９２】
図９は、破線ボックス９０１によって示すように、割当て信号伝達のためにダウンリンクフレーミングフォーマットが使用されている間の、図５の例示的基地局５０２および例示的無線端末５０４を示す図である。トラヒックチャンネルのための例示的フラッシュ割当てメッセージ９０６は、対応するダウンリンクトラヒックチャンネルセグメントのための割当てを運ぶ。例示的フラッシュ割当てメッセージ９０６は、５ビットのオン識別子フィールド９１０の中に５ビットの無線端末オン識別子値を含んでいる。トラヒックチャンネルのための例示的レギュラー割当てメッセージ９０８は、対応するダウンリンクトラヒックチャンネルセグメントのための第一の割当て９１２、対応するアップリンクトラヒックチャンネルセグメントのための第二の割当て９１８、および対応するアップリンクトラヒックチャンネルセグメントのための第三の割当て９２４を含んでいる。各割当て（第一９１２、第二９１８、第三９２４）は、５ビットのオン識別子フィールド（９１４，９２０，９２６）の中に５ビットの無線端末オン識別子値を含んでおり、また１ビットのｗｔＯｎＭａｓｋ識別子フィールド（９１６，９２２，９２８）の中に１ビットのｗｔＯｎＭａｓｋ識別子値を含んでいる。
【００９３】
幾つかの実施形態において、ダウンリンクフレーミングフォーマットが使用される再帰構造における少なくとも幾つかのインターバルについて、当該レギュラー割当てメッセージ９０８は、例えば表７００および８００の例示的構造に示したように、第一、第二、および第三の割当ての予め定められた副組のための割当て機会を含んでいる。
【００９４】
図１０は、破線ボックス１００１によって示すように、割当て信号伝達のためのアップリンクフレーミングフォーマットが使用されている間の、図５の例示的基地局５０２および例示的無線端末５０４を示す図である。トラヒックチャンネルのための例示的フラッシュ割当てメッセージ１００６は、対応するアップリンクトラヒックチャンネルセグメントのための割当てを運ぶ。例示的フラッシュ割当てメッセージ１００６は、５ビットのオン識別子フィールド１０１０の中に５ビットの無線端末オン識別子値を含んでいる。トラヒックチャンネルのための例示的レギュラー割当てメッセージ１００８は、対応するダウンリンクトラヒックチャンネルセグメントのための第一の割当て１０１２、対応するダウンリンクトラヒックチャンネルセグメントのための第二の割当て１０１８、および対応するアップリンクトラヒックチャンネルセグメントのための第三の割当て１０２４を含んでいる。各割当て（第一１０１２、第二１０１８、第三１０２４）は、５ビットのオン識別子フィールド（１０１４，１０２０，１０２６）の中に５ビットの無線端末オン識別子値を含んでおり、また１ビットのｗｔＯｎＭａｓｋ識別子フィールド（１０１６，１０２２，１０２８）の中に１ビットのｗｔＯｎＭａｓｋ識別子値を含んでいる。
【００９５】
幾つかの実施形態において、アップリンクフレーミングフォーマットが使用される再帰構造における少なくとも幾つかのインターバルについて、当該レギュラー割当てメッセージ１００８は、例えば表７００および８００の例示的構造に示したように、第一、第二、および第三の割当ての予め定められた副組のための割当て機会を含んでいる。 
図１１は、種々の実施形態に従って基地局を動作させる例示的方法を示すフローチャート１１００の図である。該例示的方法はステップ１１０２において開始され、ここでは基地局に電源が供給され、初期化される。動作は開始ステップ１１０２からステップ１１０４へ、接続ノードＡを経由してステップ１１２２へ、また接続ノードＢ１１０８を経由してステップ１１４０へと進む。
【００９６】
ステップ１１０４において、基地局は、オン状態の動作に遷移されるべき何れかの無線端末が存在するかどうかを決定する。斯かる無線端末の各々について、動作はステップ１１０４からステップ１１１０へと進む。ステップ１１１０において、基地局は無線端末オン状態識別子、例えば５ビット識別子、および対応するオン状態マスク値を利用可能な資源から無線端末へと配分する。ステップ１１１０は、ステップ１１１２、１１４、１１１６および１１１８を含んでいる。ステップ１１１２において、基地局は、無線端末がフルトーン専用制御チャンネルフォーマットモードまたは分割トーン専用制御チャンネルフォーマットモードの何れで動作すべきかを決定する。無線端末がフルトーンモードで動作されるべきであれば、動作はステップ１１１２からステップ１１１４へと進む；無線端末が分割トーンフォーマットモードで動作されるべきであれば、動作はステップ１１１２からステップ１１１６へと進む。ステップ１１１４において、基地局は、無線端末にオン状態識別子およびオンマスク値＝１１１を配分する。フルトーンフォーマットモードにおいて、当該無線端末の基地局の基地局割当てによるオン状態識別子は、基地局取付け点に関して他の無線端末と共有しない。ステップ１１１６において、基地局は無線端末に対して、無線端末オン状態識別子、並びに００１，０１０および１００の１つであるオンマスク値を配分する。分割トーンフォーマットモードにおいて、当該無線端末の基地局割当てによるオン状態識別子は、ときには基地局取付け点に関して他の無線端末と共有してよく、例えば、分割トーンモードの三つの異なる無線端末は、それぞれ同じオン状態識別子を割り当てられてよいが、異なるオンマスクを割当てられてもよい。動作はステップ１１１４またはステップ１１１６からステップ１１１８へと進む。ステップ１１１８において、基地局は、前記無線端末にオン状態識別子および前記オンマスク値を通信する情報を含んだ状態遷移メッセージを発生する。
【００９７】
動作はステップ１１１０からステップ１１２０へと進む。ステップ１１２０において、基地局は、前記発生された状態遷移メッセージを前記無線端末へ送信する。動作はステップ１１２０からステップ１１０４へと進む。
【００９８】
各レギュラー割当て信号伝達機会について、動作は、接続ノードＡ１１０６を経由してステップ１１２２へと進む。ステップ１１２２において、基地局は、レギュラートラヒックチャンネル割当てメッセージのための割当を決定する。ステップ１１２２は、ステップ１１２４，１１２６，１１２８，１１３０，１１３２，１１３４，および１１３６を含んでいる。
【００９９】
ステップ１１２４では、割当てられるべき第一のトラヒックチャンネルセグメントについて当該割当てを受信する無線端末を選択し、該無線端末はフルトーンフォーマットにある無線端末の一つ、または分割トーンフォーマットにある無線端末の組の第一の副組に対応し、該第一の副組は、その割当てられた無線端末オンマスクが、該セグメントについての分割トーン割当ての可能性、例えば００１、０１０および１００のうちの予め定められた二つに一致するメンバーを含む。動作はステップ１１２４からステップ１１２６へと進む。ステップ１１２６において、基地局は、ステップ１１２４の選択された無線端末に対応する無線端末オン状態識別子を決定し、選択された無線端末が分割トーンフォーマットにあれば、基地局は無線端末オンマスク識別子、例えば当該セグメントについて選択された無線端末の無線端末オンマスクにマップする１ビット値を決定する。
【０１００】
ステップ１１２８では、割当てられるべき第二のトラヒックチャンネルセグメントについて、基地局は当該割当てを受信する無線端末を選択し、該無線端末はフルトーンフォーマットにある無線端末の一つまたは分割トーンフォーマットにある無線端末の組の第二の副組に対応し、該第二の副組は、その割当てられた無線端末オンマスクが、該セグメントについての分割トーン割当ての可能性、例えば００１、０１０および１００のうちの予め定められた二つに一致するメンバーを含む。動作はステップ１１２８からステップ１１３０へと進む。ステップ１１３０において、基地局は、ステップ１１２８の選択された無線端末に対応する無線端末オン状態識別子を決定し、選択された無線端末が分割トーンフォーマットにあれば、基地局は無線端末オンマスク識別子、例えば当該セグメントについて選択された無線端末の無線端末オンマスクにマップする１ビット値を決定する。
【０１０１】
ステップ１１３２では、割当てられるべき第三のトラヒックチャンネルセグメントについて、基地局は当該割当てを受信する無線端末を選択し、該無線端末はフルトーンフォーマットにある無線端末の一つまたは分割トーンフォーマットにある無線端末の組の第三の副組に対応し、該第三の副組は、その割当てられた無線端末オンマスクが、該セグメントについての分割トーン割当ての可能性、例えば００１、０１０および１００のうちの予め定められた二つに一致するメンバーを含む。動作はステップ１１３２からステップ１１３４へと進む。ステップ１１３４において、基地局は、ステップ１１３２の選択された無線端末に対応する無線端末オン状態識別子を決定し、選択された無線端末が分割トーンフォーマットにあれば、基地局は無線端末オンマスク識別子、例えば当該セグメントについて選択された無線端末の無線端末オンマスクにマップする１ビット値を決定する。
【０１０２】
動作はステップ１１２６，１１３０および１１３４からステップ１１３６へと進み、そこでは、基地局が前記決定された情報をレギュラー割当てメッセージの中に組込む。動作はステップ１１２２からステップ１１３８へと進む。ステップ１１３８において、基地局は、再帰ダウンリンク構造における予め定められたときに、第一の電力レベルで前記レギュラー割当てメッセージを送信する。
【０１０３】
各々のフラッシュ割当て信号伝達機会について、動作は接続ノードＢ１１０８を経由してステップ１１４０へと進む。ステップ１１４０において、基地局は、フラッシュトラヒックチャンネル割当てメッセージのための割り当てを決定する。ステップ１１４０は、ステップ１１４２、１１４４および１１４６を含む。
【０１０４】
ステップ１１４２では、割当てられるべき第四のトラヒックチャンネルセグメントについて、基地局は該割当てを受信する無線端末を選択し、該無線端末はフルトーンフォーマットの無線端末の１つ、または分割トーンフォーマットの無線端末の組の第四の副組に対応し、該第四の副組は、その割当てられた無線端末オンマスクが前記割り当てについての分割トーン割り当て可能性、例えば００１、０１０および１００のうちの予め定められた一つに一致するメンバーを含む。動作はステップ１１４２からステップ１１４４へと進む。ステップ１１４４において、基地局は、ステップ１１４２の選択されたＷＴに対応するＷＴオン状態識別子を決定する。動作はステップ１１４４からステップ１１４６へと進み、そこでは、基地局がステップ１１４４からの決定された情報をフラッシュ割当てメッセージの中に組込む。
【０１０５】
動作はステップ１１４４からステップ１１４８へと進み、そこでは基地局が、再帰ダウンリンク構造位における予め定められたときに、第二の電力レベルで前記決定された情報をフラッシュ割当てメッセージの中に組込み、前記第二の電力レベルは前記第一の電力レベルよりも高い。
【０１０６】
図１２は、種々の実施形態に従う基地局を動作させる例示的方法のフローチャート１２００である。動作はステップ１２０２で開始し、ここでは基地局に電力が供給されて初期化される。動作はステップ１２０２からステップ１２０４へと進む。幾つかの実施形態において、ある時は、動作はまた開始ステップ１２０２からステップ１２０６へと進む。
【０１０７】
ステップ１２０４において、基地局は、基地局割当ての無線端末識別子および対応するマスク値を無線端末に通信し、前記マスク値は情報ビットの第一の数字によって表される。例えば、基地局割当ての無線端末識別子および対応するマスク値は、前記無線端末へと送信される遷移メッセージを介して通信されてよい。
【０１０８】
ステップ１２０６において、基地局は、同じ基地局割当ての無線端末識別子および異なる対応するマスク値を第二の無線端末へと通信し、前記無線端末および前記第二の無線端末は、並列して行われるセグメント割当て復旧同定動作のために使用する同じ基地局割当ての無線端末識別子を割当てられる。例えば一つの例示的実施形態において、ステップ１２０４では、基地局が、基地局割当ての５ビットオン状態無線端末識別子＝００００１および３ビットのオンマスク値＝００１を無線端末へ通信していてよい；また、ステップ１２０６において、基地局は、基地局割当ての５ビット幅無線端末オン状態識別子＝００００１および３ビット幅オンマスク値＝０１０を第二の無線端末へと通信していてよい。この例について続けると、代替的に、ステップ１２０４において、基地局が５ビットの基地局割当てによるオン状態無線端末識別子＝００００１および３ビットのオンマスク値＝１１１を当該無線端末に通信したならば、第二の基地局は、同じ基地局割当ての無線端末識別子、当該基地局取付け点を使用して、そのオン状態識別子を他の無線端末と共有しないモードで動作されるべきことを意味するオンマスク値＝１１１を共有することはできないであろう。オンマスク値が四つの可能性、例えば（１１１，００１，０１０，１００）の一つであることができる幾つかの実施形態において、割当てられたオンマスク値は、２ビット幅フィールドのパターンを介して通信される。
【０１０９】
動作はステップ１２０４からステップ１２０８へと進む。ステップ１０２８において、基地局は第一のタイプの割当てメッセージ、例えばレギュラータイプの割当てメッセージを前記無線端末へと通信し、前記第一のタイプの割当てメッセージは前記無線端末識別子およびマスク識別子値を含んでいる。幾つかの実施形態において、該マスク識別子値は、情報ビットの第二の数によって表され、該第二の数は前記第一の数よりも小さい。一つの例示的実施形態において、このマスク値は２ビット幅フィールドで通信されるのに対して、マスク識別子値は１ビット幅フィールドで通信される。
【０１１０】
幾つかの実施形態において、時には、動作はステップ１２０８からステップ１２１０へと進む。ステップ１２１０において、基地局は、第二のタイプの割当てメッセージを前記無線端末へと通信し、前記第二のタイプの割当てメッセージは前記無線端末識別子を含むが、マスク識別子値を含まない。幾つかの実施形態において、第一のタイプの割当てメッセージは、前記第二のタイプの割当てメッセージよりも低い電力レベルで通信される。
【０１１１】
種々の実施形態において、第一および第二のタイプの割当てメッセージはトラヒックチャンネル割当てメッセージである。少なくとも幾つかの第一のタイプの割当てメッセージについての幾つかの斯かる実施形態では、第一のタイプの割当てメッセージは、複数、例えば二つまたは三つのトラヒックチャンネルセグメントのための割当てを運び、前記複数の割当てのうちの一つは、前記無線端末識別子および前記マスク識別子値によって運ばれる；前記第二のタイプの割当てメッセージは、単一のトラヒックチャンネルセグメントのための割当てを運ぶ。
【０１１２】
幾つかの実施形態において、前記マスク値は、前記無線端末に割当てられてよい再帰トラヒックチャンネル構造における潜在的なトラヒックチャンネルセグメントを特定する。幾つかの斯かる実施形態において、前記マスク値が第一の予め定められたパターン、例えば１１１に一致すれば、前記再帰トラヒックチャンネル構造における一組のトラヒックチャンネルセグメントからの何れかのトラヒックチャンネルセグメントが前記無線端末に割当てられてよく、また前記マスクが第二の予め定められたパターン、例えば００１に一致すれば、前記一組のトラヒックチャンネルセグメントの第一の予め定められた副組が前記無線端末に割当てられてよく、また前記マスクが第三の予め定められたパターン、例えば０１０に一致すれば、前記トラヒックチャンネルセグメントの第二の予め定められた副組が前記無線端末に割当てられてよい。幾つかの斯かる実施形態において、前記第一の予め定められた副組および第二の予め定められた副組は部分的に重なっている。幾つかの実施形態において、もし前記マスク値が第四の予め定められた値、例えば１００に一致すれば、前記一組のトラヒックチャンネルセグメントの第三の予め定められた副組が、前記無線端末に割当てられてよく、前記第三の予め定められた副組は、前記第一および第二の予め定められた副組と部分的に重なっている。
【０１１３】
種々の実施形態において、前記マスク識別子値は単一の情報ビットによって表され、該単一の情報ビットは、当該セグメントに関連付けられ得る二つのマスク値の間を識別する。
【０１１４】
図１３は、種々の実施形態に従った無線端末を動作させる例示的方法のフローチャート１３００である。この例示的方法はステップ１３０２で開始され、ここでは無線端末が電源を供給されて初期化される。動作は開始ステップ１３０２からステップ１３０４へと進む。ステップ１３０４において、無線端末は、基地局割当てによる第一の値の無線端末識別子および対応するマスク値を基地局から受信し、前記マスク値は情報ビットの第一の数によって表される。幾つかの実施形態において、該マスク識別子値は情報ビットの第二の数によって表され、該第二の数は前記第一の数よりも小さい。一つの例示的実施形態において、四つの可能性、例えば１１１、００１、０１０および１００の一つを取ることができる該マスク値は、２ビット幅フィールドを介して運ばれ、またマスク識別子値は１ビット幅フィールドを介して運ばれる。幾つかの実施形態において、該マスク値は３ビット幅フィールドを介して運ばれ、またマスク識別子値は１ビット幅フィールドを介して運ばれる。動作はステップ１３０４からステップ１３０６へと進み、また幾つかの実施形態ではステップ１３１６へと進む。
【０１１５】
ステップ１３０６において、無線端末は、第一のタイプの割当てメッセージを前記基地局から受信し、前記第一のタイプの割当てメッセージは無線端末識別子およびマスク識別子値を含んでいる。動作はステップ１３０６から１３０８へと進む。ステップ１３０８において、無線端末は、前記受信された第一のタイプの割当てメッセージから、前記割当が当該無線端末に向けられるものか否かを同定する。ステップ１３０８において、無線端末が、ステップ１３０６で受信されたメッセージの割当てが当該無線端末に向けられていると決定すれば、動作はステップ１３０８からステップ１３１０へと進む。動作はまた、更なる第一のタイプの割当てメッセージを受信するために、ステップ１３０８〜ステップ１３０６へと進む。
【０１１６】
ステップ１３１０において、無線端末は、割当てスロットがアップリンクまたはダウンリンクの何れのトラヒックＣＨセグメントに対応するかどうかを決定する。もし、当該無線端末に向けられた割当てがアップリンクトラヒックチャンネルセグメントに対応すれば、動作はステップ１３１０からステップ１３１２へと進む；もし、当該無線端末に向けられた割当てがダウンリンクトラヒックチャンネルセグメントに対応するならば、動作はステップ１３１４へと進む。ステップ１３１２において、無線端末は、予め定められた関係によって前記受信された割当てと関連付けられたアップリンクトラヒックチャンネルセグメントを使用して、符号化された情報を送信する。ステップ１３１４において、無線端末は、予め定められた関係によって前記受信された割当てと関連付けられたダウンリンクトラヒックチャンネルセグメントを介して通信された、符号化された情報を受信する。
【０１１７】
ステップ１３１６において、無線端末は第二のタイプの割当てメッセージを受信し、該第二のタイプの割当てメッセージは無線端末識別子を含むが、マスク識別子値を含まない。動作はステップ１３１６からステップ１３１８へと進む。ステップ１３１８において、無線端末は、前記受信された第二のタイプの割当てメッセージから、前記割り当てが当該無線端末に向けられたものか否かを同定する。例えば、ステップ１３０４で受信された基地局割当ての無線端末識別子が、ステップ１３１６で受信された基地局割当ての無線端末識別子と一致すれば、該割当ては当該無線端末に向けられている。もし、無線端末がステップ１３１８において、ステップ１３１６で受信されたメッセージの割当ては当該無線端末に向けられることを決定すれば、動作はステップ１３１８からステップ１３２０へと進む。動作はまた、更なる第二のタイプの割当てメッセージを受信するために、ステップ１３１８から１３１６へと進む。
【０１１８】
ステップ１３２０において、無線端末は、割当てスロットは、アップリンクまたはダウンリンクの何れのトラヒックチャンネルセグメントに対応するかを決定する。当該無線端末に向けられた割当てがアップリンクトラヒックチャンネルセグメントに対応すれば、動作はステップ１３２０からステップ１３２２へと進む；当該無線端末に向けられた割当てがダウンリンクトラヒックチャンネルセグメントに対応すれば、動作はステップ１３２４へと進む。ステップ１３２２において、無線端末は、予め定められた関係によって前記受信された割当てと関連付けられたアップリンクトラヒックチャンネルセグメントを使用して、符号化された情報を送信する。ステップ１３２４において、無線端末は、予め定められた関係によって前記受信された割当てと関連付けられたダウンリンクトラヒックチャンネルセグメントを介して通信された、符号化された情報を受信する。
【０１１９】
幾つかの実施形態において、前記受信されたマスク値が一組の複数の予め定められたマスク値の一つであるときに、前記受信された割当てが前記無線端末に向けられるものか否かを同定する前記ステップ１０３８は、（ｉ）ステップ１３０４からの前記受信された基地局割当ての無線端末識別子が、ステップ１３０６の前記受信された第一のタイプの割当てメッセージにおける無線端末識別子と一致するかどうかを決定すること、および（ｉｉ）ステップ１３０６からの前記受信された割当てメッセージにおける前記無線端末識別子が、ステップ１３０４からの受信されたマスク値を特定するかどうかを決定することを含んでいる。一つの例示的実施形態において、一組の複数の予め定められたマスク値は｛００１，０１０，１００｝である。
【０１２０】
幾つかの実施形態において、前記受信されたマスク値が第一の予め定められたマスク値であるときは、前記第一の予め定められたマスク値は前記一組の複数の予め定められたマスク値から排除され、前記受信された割当てが前記無線端末に向けられたものか否かを同定するステップ１３０８は、ステップ１３０４からの前記受信された基地局割当ての無線端末識別子がステップ１３０６の受信された第一のタイプの割当てメッセージにおける前記無線端末識別子に一致するかどうかを決定することを含み、前記決定は前記割当てメッセージにおいて受信された前記マスク識別子値の使用を必要としない。一つの例示的実施形態において、第一の予め定められたマスク値＝１１１であり、複数の予め定められたマスク値の組は｛００１，０１０，１００｝である。
【０１２１】
幾つかの実施形態において、無線端末は、ステップ１３０４からの受信されたマスク値の関数として、受信する割当てメッセージの副組を決定する。幾つかの実施形態において、無線端末は、ステップ１３０４からの受信されたマスク値の関数として、受信する割当てメッセージの副組を決定する。例えば一つの例示的実施形態において、無線端末がステップ１３０４におけるマスク値＝１１１を受信するならば、何れかの割当てが該無線端末に向けられる可能性があり、例えば、該無線端末はフルトーンフォーマットＤＣＣＨモードで動作中なので、該無線端末は割当て信号の各々を受信および復旧するように試みなければならないであろう。この例を用いて続けると、ステップ１３３０４において、無線端末が００１、０１０および１００のうちの一つであるマスク値を受信するならば、予め実施された構造によって幾つかの割当ては当該無線端末に向けられることができる一方、それ以外は当該無線端末に向けられることができないので、該無線端末は割当て信号を選択的に受信および／または処理することができ、時にはそのように受信および／または処理する。幾つかの斯かる実施形態において、無線端末は、割当て信号の受信および／または復旧動作を制限することによって、資源、例えば電力、処理時間、および／またはメモリーの使用を節約することができる。
【０１２２】
幾つかの実施形態において、前記ステップ１３０４から受信されたマスク値が第一の予め定められたパターン、例えば１１１に一致するならば、再帰トラヒックチャンネル構造における一組のトラヒックチャンネルセグメントからの何れかのトラヒックチャンネルセグメントが当該無線端末に割当てられてよく、また該マスクが第二の予め定められたパターン、例えば００１に一致するならば、前記組のトラヒックチャンネルセグメントの第一の予め定められた副組が前記無線端末に割当てられてよく、また前記マスクが第三の予め定められたパターン、例えば０１０に一致するならば、第二の副組のトラヒックチャンネルセグメントが前記無線端末に割当てられてよい。幾つかの斯かる実施形態において、第一の予め定められた副組および第二の予め定められた副組は部分的に重なる。幾つかの実施形態において、前記マスクが第四の予め定められたパターン、例えば１００に一致するならば、前記トラヒックチャンネルセグメントの第三の予め定められた副組が前記無線端末に割当てられてよく、前記第三の予め定められた副組は前記第一および前記第二の予め定められた副組と部分的に重なる。
【０１２３】
図１４は、種々の実施形態に従って実施される例示的基地局１４００の図である。例示的基地局１４００は、図１のシステム１００の基地局の何れかであってよい。例示的基地局１４００は、受信機モジュール１４０２、送信機モジュール１４０４、プロセッサ１４０６、Ｉ／Ｏ装置１４０８、およびその上で種々の素子がデータおよび情報を交換してよいバス１４１２を介して一緒に結合されたメモリー１４１０を含んでいる。メモリー１４１０は、ルーチン１４１８およびデータ／情報１４２０を含んでいる。プロセッサ１４０６、例えばＣＰＵはルーチン１４１８を実行し、またメモリー１４１０の中のデータ／情報１４２０を使用して基地局の動作を制御し、方法を実施する。
【０１２４】
受信機モジュール１４０２、例えばＯＦＤＭ受信機は受信アンテナ１４０３に結合され、該アンテナを介して基地局は無線端末からのアップリンク信号を受信する。該アップリンク信号は、例えば、登録要求信号、状態を変化させる要求、トラヒックチャンネル資源の要求含むアップリンク専用制御チャンネル信号、およびアップリンクトラヒックチャンネルセグメント信号を含んでいる。受信機モジュール１４０２は、受信されたアップリンク信号の少なくとも幾つかを復号するための復号器１４１４を含んでいる。
【０１２５】
送信機モジュール１４０４、例えばＯＦＤＭ送信機は送信アンテナ１４０５に結合され、該送信アンテナを介して、基地局はダウンリンク信号を無線端末へと送信する。該ダウンリンク信号は、例えばタイミング／同期信号、制御信号を含んでいる。制御信号は、基地局割当ての無線端末識別子およびマスク値を運ぶ制御信号、例えば状態遷移メッセージ信号、第一のタイプの割当て信号、第二のタイプの割当て信号、およびダウンリンクトラヒックチャンネルセグメント信号を含んでいる。送信機モジュール１４０４は、送信すべき少なくとも幾つかのダウンリンク信号を符号化するための符号化器を含んでいる。
【０１２６】
Ｉ／Ｏインターフェース１４０８は、基地局１４００を、他のネットワークノード、例えば他の基地局、ルータ、ＡＡＡサーバ、ホームエージェントノード、種々のサーバ等、および／またはインターネットに結合する。該Ｉ／Ｏインターフェース１４０８は、基地局１４００取付け点を使用する無線端末が、異なる基地局の取付け点を使用する異なるセルの中に位置するピアノードとの通信セッションに参加することを可能にする。
【０１２７】
ルーチン１４１８は、通信ルーチン１４２２および基地局制御ルーチン１４２４を含んでいる。通信ルーチン１４２２は、基地局１４００によって使用される種々の通信プロトコルを実施する。基地局制御ルーチン１４２４は、スケジューラモジュール１４２６、無線端末制御メッセージ発生モジュール１４２８、第一のタイプの割当てメッセージ発生モジュール１４３０、第二のタイプの割当てメッセージ発生モジュール１４３２、電力レベル制御モジュール１４３４、および無線端末動作モード管理モジュール１４３０を含んでいる。
【０１２８】
スケジューラモジュール１４２６、例えばスケジューラは、実施されるスケジュール化ポリシーに従って、無線端末へのアップリンクおよびダウンリンクセグメントをスケジュール化する。モジュール１４２６のスケジュール化は、アップリンクおよびダウンリンクのトラヒックチャンネルセグメントのスケジュール化を含んでいる。あるときには、例えば無線端末に割当てられるマスク値の関数として、基地局取付け点を使用して一定の無線端末へとスケジュール化するために、幾つかのセグメントは利用可能でないかもしれない。
【０１２９】
無線端末制御メッセージ発生モジュール１４２８は、無線端末に向けられたメッセージ情報を発生し、該メッセージ情報は基地局割当ての基地局識別子および対応するマスク値を含んでいる。幾つかの実施形態において、基地局割当ての無線端末識別子および対応するマスク値は同じメッセージ、例えば状態遷移メッセージを介して通信される。一つの斯かる例示的実施形態において、基地局割当ての無線端末識別子は５ビット幅フィールドによって通信され、また対応するマスク値は２ビット幅フィールドによって通信される。一つの斯かる実施形態において、基地局割当ての識別子は１…３１の範囲の値であり、また２ビット幅フィールドによって通信される対応のマスク値は四つの異なる３ビット幅パターン：１１１，００１，０１０および１００の1つである。発生された制御メッセージ１情報１４５２、および発生された制御メッセージＮ情報１４５４は、モジュール１４２８からの出力を表す。
【０１３０】
無線端末制御メッセージ発生モジュール１４２８は、同じ基地局割当ての無線端末識別子および異なる対応のマスク値を含む第二の無線端末に向けられたメッセージ情報を発生し、前記無線端末および前記第二の無線端末は、並列で行われるセグメント情報復旧動作のために使用されるように、同じ基地局割り当ての無線端末識別子を割当てられる。例えば、ＷＴＡは、基地局割当ての無線端末識別子＝０００１１およびマスク＝００１を割当てられてよい一方、ＷＴＢは、無線端末識別子＝０００１１およびマスク＝０１０を割当てられてよい。
【０１３１】
第一のタイプの割当てメッセージ発生モジュール１４３０は、無線端末識別子およびマスク識別子値を含む第一のタイプの割当てメッセージを発生する。幾つかの実施形態において、マスク値は情報ビットの第一の数によって表され、マスク識別子値は情報ビットの第二の数によって表され、前記情報ビットの第二の数は前記第一の数よりも小さい。例えば、一つの例示的実施形態において、遷移状態メッセージにおけるマスク値フィールドは、四つの可能性（ビットパターン１１１、ビットパターン００１、ビットパターン０１０、またはビットパターン１００）のうちの一つを通信する２ビット幅であるのに対して、第一のタイプの割当てメッセージにおけるマスク識別子フィールドは、二つの可能性のうちの一つを通信する１ビット幅である。幾つかの実施形態において、第一のタイプの割当てメッセージは、レギュラー割当てメッセージと称される。メッセージ１情報１４６０およびメッセージＮ情報１４５４は、モジュール１４３０からの出力を表す。
【０１３２】
第二のタイプの割当てメッセージ発生モジュール１４３２は、無線端末識別子を含むが、マスク識別子値を含まない第二のタイプの割当てメッセージを発生する。幾つかの実施形態において、該第二のタイプの割当てメッセージはフラッシュ割当てメッセージと称される。メッセージ１情報１４７６およびメッセージＮ情報１４８０は、モジュール１４３４からの出力を表す。
【０１３３】
電力レベル制御モジュール１４３４は、第一のタイプの割当てメッセージおよび第二のタイプの割当てメッセージの相対的送信電力を制御することを含む電力制御を行って、前記第一のタイプの割当てメッセージが第二のタイプの割当てメッセージよりも低い電力レベルで送信されるようにする。電力レベル制御モジュール１４３４は、電力レベル情報１４４６を使用する。
【０１３４】
無線端末動作モード管理モジュール１４３６は、当該基地局取付け点を使用する複数の無線端末の動作モードを管理する。管理モジュール１４３６は、無線端末、例えばオン状態動作、例えば無線端末がアップリンクおよび／またはダウンリンクトラヒックチャンネルセグメントを割当てられてよい動作状態へと遷移されるべき無線端末に対して一時的に割当てるために、例えば利用可能な資源から、基地局割当ての無線端末識別子および対応するマスク値を決定する。この例示的実施形態において、マスクの値は、無線端末が第一または第二のオン状態動作モードにあるかどうかを決定し、これら異なるモードのオン状態動作においては異なる量の資源が利用可能である。例えば、一つの例示的実施形態においてはマスク＝１１１であり、無線端末はフルトーンフォーマットモードの専用制御チャンネル動作へと遷移される一方、該マスクが００１、１００および０１０のうちの１つであるならば、当該無線端末は分割トーンフォーマットモードの動作へと遷移され、フルトーンフォーマットでは、分割トーンフォーマットモードにおけるよりも多くの資源が利用可能である。管理モジュール１４３６によって行われる決定は、無線端末制御メッセージ発生モジュール１４２８へと転送される。
【０１３５】
データ／情報１４２０は、保存されたトラヒックチャンネル構造情報１４３８を含んでおり、これはマスク関連情報へのセグメント（セグメント１／マスク関連情報１４４２、…、セグメントＭ／マスク関連情報１４４４）、保存された割り当て／トラヒックチャンネルセグメントマッピング情報１４４０、および電力レベル情報１４４６を含んでいる。幾つかの例示的な保存されたトラヒックチャンネル構造情報１４３８は、図７および図８の少なくとも幾つかの情報を含んでいる。例えば、セグメント／マスク関連情報に関しては、第二のタイプの割当てのための欄８０６および欄８０８の情報を考慮し、また第二のタイプの割り当てのための欄（８１０および８１２）および欄（８１４および８１６）の情報を考慮してみよう。幾つかの例示的な保存された割り当て／トラヒックセグメントマッピング情報１４４０は、図７および図８の少なくとも幾つかの情報を含んでいる。図７および図８の例において、各トラヒックチャンネルセグメントは、予め定められた関係に従って、割当てスロットと関連付けられる。
【０１３６】
電力レベル情報１４４６は、第一のタイプの割当て情報メッセージ１４４８の送信電力レベルに関連付けられた電力レベル情報、および第二の割当て情報メッセージ１４５０の送信電力レベルに関連付けられた電力レベル情報を含んでいる。データ／情報１４２０はまた、発生された制御メッセージ情報（発生された制御メッセージ１情報１４５２、…、発生された制御メッセージＮ情報１４５４）を含んでいる。発生された制御メッセージ１情報１４５２は、基地局割り当ての無線端末識別子１４５６および対応するマスク値１４５８を含んでいる。
【０１３７】
データ／情報１４２０はまた、発生された第一のタイプの割当てメッセージ情報（発生された第一のタイプの割当てメッセージ１情報１４６０、…、発生された第一のタイプの割当てメッセージｍ情報１４７４）を含んでいる。発生された第一のタイプの割当てメッセージ１情報１４６０は、メッセージ１４６２において運ばれる第一の割り当てに対応する無線端末識別子、並びにメッセージ１４６４において運ばれる第一の割当てに対応する対応のマスク識別子値を含んでいる。発生された第一のタイプの割当てメッセージ１情報１４６０はまた、幾つかの実施形態において、ときには、メッセージ１４６６において運ばれる第二の割り当てに対応する無線端末識別子、並びにメッセージ１４６８において運ばれる第二の割当てに対応する対応のマスク識別子値；および／またはメッセージ１４７０において運ばれる第三の割当てに対応する無線端末識別子、並びにメッセージ１４７２において運ばれる第三の割り当てに対応する対応のマスク識別子値を含んでいる。
【０１３８】
データ／情報１４２０はまた、発生された第二のタイプの割当てメッセージ情報（発生された第二のタイプの割当てメッセージ１情報１４７６、…、発生された第二のタイプの割当てメッセージｎ情報１４８０）を含んでいる。発生された第二のタイプの割当てメッセージ１情報１４７６は、該割当てに対応する無線端末識別子１４７８を含んでいるが、マスク識別子を含んでいない。単独で、または保存されたタイミング構造情報と組み合わせて通信された無線端末識別子は、無線端末が、第二のタイプの割り当てがそれ自身に向けられているか否かを決定するために充分である。
【０１３９】
データ／情報１４２０はまた、複数組の無線端末データ／情報（無線端末１データ／情報１４８２，…，無線端末Ｋデータ／情報１４８４）、例えば、基地局１４００取付け点を現在使用している複数の無線端末を含んでいる。無線端末１データ／情報１４８２は、例えば、アップリンクおよび／またはダウンリンクトラヒックチャンネルセグメントにおいて通信される無線端末１に属するユーザデータ、一時的にＷＴ１に割当てられた基地局割当の無線端末識別子、マスクに関連付けられた動作モード、例えば、第二の動作モードに比較して大きな数のトラヒックチャンネルセグメントがＷＴ１への配分のために利用可能な第一の動作モード、無線端末１の動作に属する種々の状態情報、および／または無線端末１に属するセッション情報を含んでいる。
【０１４０】
幾つかの実施形態において、第一および第二のタイプの割当てメッセージは、トラヒックチャンネル割当てメッセージである。種々の実施形態において、第一のタイプの割当てメッセージは、複数のトラヒックチャンネルセグメント、例えば三つまでのトラヒックチャンネルセグメントのための割当てを運ぶことができ、また第二のタイプの割当ては、単一のトラヒックチャンネルセグメントのための割り当てを運ぶ。
【０１４１】
種々の実施形態において、トラヒックチャンネル構造情報１４３８は再帰トラヒックチャンネル構造を定義し、またマスク値は、無線端末に割当てられてよい潜在的なトラヒックチャンネルセグメントを同定する。例えば、基地局が図７および図８のトラヒックチャンネル構造情報を使用すると考えよう。図８Ａを参照すると、もし無線端末がマスク＝１１１もしくは００１を割当てられれば、該無線端末はインデックス数＝３のアップリンクトラヒックチャンネルセグメントを割当てられてよい；しかし、もし無線端末ガマスク＝１０１もしくは１００を割当てられれば、該無線端末はインデックス化す＝３のアップリンクトラヒックチャンネルセグメントを割当てられることはできない。この例を用いて続けると、もし無線端末がマスク１１１もしくは００１または０１０を割当てられれば、該無線端末は、インデックス数＝４のアップリンクトラヒックチャンネルセグメントを割当てられてよい；しかし、無線端末がマスク＝１００を割当てられれば、該無線端末はインデックス数＝４のアップリンクトラヒックチャンネルセグメントを割当てられることはできない。
【０１４２】
幾つかの実施形態において、もし無線端末に割当てられたマスク値が第一の予め定められたパターン、例えば１１１に一致すれば、前記再帰トラヒックチャンネル構造における一組のトラヒックチャンネルセグメントからの何れかのトラヒックチャンネルセグメントが当該無線端末に割当てられる可能性があり、また、該マスク値が第二の予め定められたパターン、例えば００１に一致すれば、前記再帰トラヒックチャンネル構造における前記組のトラヒックチャンネルセグメントの第一の予め定められた副組が当該無線端末に割当てられる可能性があり、また、該マスク値が第三の予め定められたパターン、例えば０１０に一致すれば、前記再帰トラヒックチャンネル構造における前記組のトラヒックチャンネルセグメントの第二の予め定められた副組が当該無線端末に割当てられる可能性がある。幾つかの斯かる実施形態において、第一の予め定められた副組および第二の予め定められた副組は部分的に重なっている。幾つかの実施形態において、マスク値が第四の予め定められたパターン、例えば１００に一致すれば、前記再帰トラヒックチャンネル構造における前記組のトラヒックチャンネルセグメントの第三の予め定められた副組が当該無線端末に割当てられてよく、前記第三の予め定められた副組は、前記第一および第二の予め定められた副組と部分的に重なっている。
【０１４３】
種々の実施形態において、マスク識別子値は単一の情報ビットによって表され、該単一のビットは、前記割当てに関連付けられ得る二つの潜在的なマスク値の間を識別する。例えば、例示的な第一のタイプの割当が、図８Ａに示すようにインデックス＝４のアップリンクトラヒックチャンネルセグメントに対応する割当てを含むと考えると、該マスク識別子値が第一の値、例えば０でれば、それはマスク００１を示す一方、マスク識別子値が第二の値、例えば１であれば、それはマスク０１０を示す。
【０１４４】
図１５は、例示的な無線端末１５００、例えば種々の実施形態に従って実施されるモバイルノードの図である。例示的無線端末１５００は、図１のシステム１００における無線端末の何れかであってよい。例示的無線端末１５００は、受信機モジュール１５０２、送信モジュール１５０４、プロセッサ１５０６、ユーザＩ／Ｏ装置１５０８、およびバス１５１２を介して一緒に結合されたメモリー１５１０を含んでおり、前記バス１５１２の上で種々の素子がデータおよび情報を交換する。メモリー１５１０は、ルーチン１５１８およびデータ／情報１５２０を含んでいる。プロセッサ１５０６、例えばＣＰＵはルーチン１５１８を実行し、メモリー１５１０の中のデータ／情報１５２０を使用して無線端末１５００の動作を制御し、方法を実行する。
【０１４５】
受信機モジュール１５０２、例えばＯＦＤＭ受信機は受信アンテナ１５０３に結合され、該アンテナを介して、無線端末は基地局１４００からダウンリンク信号を受信する。受信されたダウンリンク信号は、タイミング／同期信号、基地局割当てん尾無線端末識別子および対応するマスク値を運ぶ制御信号、第一のタイプの割当て信号、第二のタイプの割当て信号、およびダウンリンクトラヒックチャンネルセグメント信号を含んでいる。受信機モジュール１５０２は、受信されたダウンリンク信号の少なくとも幾つかを復号するための復号器１５１４を含んでいる。送信モジュール１５０４、例えばＯＦＤＭ送信機は送信アンテナ１５０５に結合され、該アンテナを介して、無線端末は基地局、例えば基地局１４００へとアップリング信号を送信する。送信されたアップリンク信号は、登録要求信号、モード遷移要求信号、アップリンクトラヒックチャンネルセグメント資源についての要求を含むアップリンク専用制御チャンネル信号、およびアップリンクトラヒックチャンネルセグメント信号を含んでいる。送信モジュール１５０４は、送信されるアップリング信号の少なくとも幾つかを符号化するための符号化器１５１６を含んでいる。幾つかの実施形態では、例えば二重通信モジュールに関連して、受信機および送信機のために同じアンテナが用いられる。
【０１４６】
ユーザＩ／Ｏ装置１５０８は、例えばマイクロホン、カメラ、キーボード、タッチ画面、キーパッド、スイッチ、スピーカ、ディスプレー等を含む。ユーザＩ／Ｏ装置１５０８は、無線端末ＷＴ１５００のユーザが、データ／情報を入力し、出力データ／情報にアクセスし、無線端末１５００の少なくとも幾つかの機能を制御し、および／またはアプリケーションを制御することを可能にする。
【０１４７】
ルーチン１５１８は、通信ルーチン１５３２および無線端末制御ルーチン１５２４を含んでいる。通信ルーチン１５３２は、無線端末１５００によって使用される種々の通信プロトコルを実行する。無線端末制御ルーチン１５２４は、制御メッセージ処理モジュール１５２６、第一のタイプの割当て処理モジュール１５２８、第二のタイプの割当てメッセージ処理モジュール１５３４、アップリンクトラヒックチャンネルセグメントモジュール１５３６、およびダウンリンクトラヒックチャンネルセグメントモジュール１５３８を含んでいる。
【０１４８】
制御メッセージ処理モジュール１５２６は、基地局割当ての無線端末識別しおよび対応のマスク値を含む受信された制御メッセージ情報を処理し、前記マスク値は情報ビットの第一の数によって表される。例えば、該基地局割当ての無線端末識別子およびマスク値は、状態遷移メッセージを介して通信されてよく、またモジュール１５２４はこの情報を処理し、復旧された情報を、例えば後で割当てメッセージを処理するときに使用するために保存する。制御メッセージ処理モジュール１５２６はまた、受信されたマスク値に基づいて動作モードを決定する。例えば、一つの例示的実施形態において、マスク値は、四つの潜在的なマスクパターン１１１，００１，０１０および１００のうちの１つを運ぶ２ビットフィールドによって運ばれる。該値が１１１であれば、無線端末は第二の動作モードにあるのに対して、マスク値が００１，０１０，および１００のうちの１つであれば該無線端末は第一の動作モードであり、第二の動作モードにおいては第一の動作モードにおいてよりも多くの資源が潜在的に利用可能で、例えば、第一モードのオン状態動作にある無線端末に比較して、再帰トラヒックチャンネル構造におけるより大きな数のトラヒックチャンネルセグメントを、第二モードのオン状態動作にある無線端末に割当てることができる。幾つかの実施形態において、第二の動作モードはフルトーンフォーマットＤＣＣＨ動作モードと称され、また第一の動作モードは分割トーンフォーマットＤＣＣＨ動作モードと称される。
【０１４９】
第一の割当てメッセージ処理モジュール１５２８は、第一のタイプの割当てメッセージを処理し、該第一のタイプの割当てメッセージは無線端末識別子および対応するマスク識別子値を含んでいる。幾つかの斯かる実施形態において、該マスク識別子値は情報ビットの第二の数によって表され、該情報ビットの第二の数は前記情報ビットの第一の数よりも小さい。第一のタイプの割当てメッセージモジュール１５２８は、受信された第一のタイプの割当てメッセージから、受信された割当てがＷＴ１５００に向けられているか否かを同定する。
【０１５０】
第一のタイプの割当てメッセージ処理モジュール１５２８は、第一の動作モード処理モジュール１５３０および第二の動作モード処理モジュール１５３２を含んでいる。前記無線端末が第一の動作モードにあるとき、第一のタイプの割当てメッセージを処理するときに使用される動作モード処理モジュール１５３０は、現在ＷＴ１５００が関連付けられている受信された基地局割当ての無線端末識別子値が、処理されている第一のタイプの割当てメッセージからの検討中の割当てに含められた無線端末識別子と一致するかどうか、および割当ての受信されたマスク識別子値が、ＷＴ１５００と現在関連付けられている受信されたマスク値を同定するかどうかを決定する。一つの例示的実施形態では、第一の動作モード処理モジュールを使用するときに、例えば受信された制御メッセージのマスク値１５５２に対応する、ＷＴ１５００と現在関連付けられている受信されたマスクは、００１、０１０および１００のうちの一つである。
【０１５１】
ＷＴ１５００が第二の動作モードにあるとき第一のタイプの割当てメッセージを処理するときに使用される第二の動作モード処理モジュール１５２３は、当該無線端末に現在対応している受信された基地局割当ての無線端末識別値が、受信された割当てメッセージにおける無線端末識別子と一致するかどうかを決定し、検討中の割当てがＷＴ１５００に向けられているか否かに関するモジュール１５３２による決定は、ＷＴ１５００に現在関連付けられているマスク識別子値、例えばメッセージ１５４８から得られたマスク値の使用を必要としない。一つの例示的実施形態において、第二の動作モード処理モジュール１５３２を使用するとき、例えば受信された制御メッセージのマスク値１５５２に対応する、ＷＴ１５００と現在関連付けられている受信されたマスクは１１１であり、例えば、何れかのトラヒックチャンネルセグメントがＷＴ１５００に配分され得ることを意味する。
【０１５２】
第二のタイプの割当てメッセージ処理モジュール１５３４は、無線端末識別子を含むがマスク識別子値は含まない第二のタイプの割当てメッセージを処理し、またモジュール１５３４は、該第二のタイプの割当てメッセージがＷＴ１５００に向けられるか否かを同定する。
【０１５３】
アップリンクトラヒックチャンネルセグメントモジュール１５３６は、アップリングトラヒックチャンネルセグメント信号の発生を制御すること、およびアップリンクトラヒックチャンネルセグメント信号の送信を制御することに応答する。モジュール１５３６は、偶々再帰トラヒックチャンネル構造におけるアップリンクトラヒックチャンネルセグメントである同定されたトラヒックチャンネルセグメント１５７０、１５７４に応答する。ダウンリンクトラヒックチャンネルセグメントモジュール１５３８は、ダウンリングトラヒックチャンネルセグメント信号の受信を制御すること、およびダウンリンクトラヒックチャンネルセグメント信号の復旧を制御することに応答する。モジュール１５３８は、偶々再帰トラヒックチャンネル構造におけるダウンリンクトラヒックチャンネルセグメントである同定されたトラヒックチャンネルセグメント１５７０、１５７４に応答する。
【０１５４】
データ／情報１５２０は、保存されたトラヒックチャンネル構造情報１５４０および保存された割当て／トラヒックチャンネルセグメントマッピング情報１５４８を含んでいる。該保存されたトラヒックチャンネル構造情報１５４０は、セグメント１／マスク関連情報１５４２、…、セグメントＭ／マスク関連情報１５４４を含んでいる。情報１５４０は、ＢＳ１４００における情報１４３８に対応する一方、情報１５４６は基地局１４００における情報１４４０に対応する。例えば、一つの実施形態において、図７および図８からの幾つかの情報は、情報１５４０および情報１５４６の一部である。
【０１５５】
データ／情報１５２０はまた、基地局割当ての無線端末識別子１５５０およびマスク値１５５２を含む受信された制御メッセージ情報１５４８、動作モード情報１５５４、基地局取付け点同定情報１５５６、複数の受信された第一のタイプの割当てメッセージ情報（受信された第一のタイプの割当てメッセージ１情報１５５８、…、受信された第一のタイプの割当てメッセージｍ情報１５６２）、複数の第二のタイプの割当てメッセージ情報（受信された第二のタイプの割当てメッセージ１情報１５６４、…、受信された第二のタイプの割当てメッセージｎ情報１５６８）、ＷＴ１５００を意図した同定されたトラヒックチャンネルセグメントに属する情報（該ＷＴに割当てられた同定されたトラヒックチャンネルセグメント１：１５７０、…、該ＷＴに割当てられた同定されたトラヒックチャンネルセグメントＸ：１５７４）を含んでいる。
【０１５６】
この受信された制御メッセージ情報１５４８は、幾つかの実施形態においては、状態遷移メッセージを介して通信される。ＷＴ１５００に向けられている情報１５４８は、その後の割り当て信号伝達処理動作の際に使用するために保持される。動作モード１５５４は、ＷＴの現在の状態、例えば、オフ、スリープ、ホールド、第一のオン状態モード、第二のオン状態モードを同定する情報を含んでいる。幾つかの実施形態において、第一のオン状態モードは分割トーンフォーマットＤＣＣＨ動作モードと称され、第二のオン状態モードはフルトーンフォーマットＤＣＣＨ動作モードと称される。基地局取付け点同定情報１５５６は、例えば該システムにおける複数の基地局取付け点の中から、ＷＴ１５００によって使用されている現在の基地局取付け点を同定する情報を含んでいる。基地局取付け点同定情報１５５６は、例えば、基地局ＩＤ、セクターＩＤ、セクタータイプ同定、キャリア同定、および／またはトーンブロック情報を含んでいる。
【０１５７】
受信された第一のタイプ割当てメッセージ１情報１５５８は、モジュール１５２８によって処理および評価される受信された第一のタイプのメッセージに対応する。情報１５５８は、例えば第一の割り当てスロットについて、無線端末識別子１５６０および対応のマスク識別子値１５６２、例えば１ビットを含んでいる。幾つかのメッセージについての情報１５５８は、複数の割り当て、例えば第二の割り当て情報（ＷＴ識別子１５６４および対応するマスク識別子値１５６６）、および／または第三の割り当て情報（ＷＴ識別子１５５８および対応するマスク識別子値１５６０）を含んでいる。
【０１５８】
無線端末識別子１５６６を含む受信された第二のタイプの割当てメッセージ１情報１５６４は、モジュール１５３４によって処理される。
【０１５９】
データ／情報１５２０はまた、ＷＴ１５００に割当てられた同定されたセグメントによって運ばれるデータ／情報（同定されたトラヒックチャンネルセグメント１によって運ばれるデータ／情報１５７２、…、同定されたトラヒックチャンネルセグメントＸによって運ばれるデータ／情報１５７６）を含んでいる。同定されたセグメント（１５７０、１５７４）は、モジュール１５２８による第一のタイプの割当てメッセージ、またはモジュール１５３４による第二のタイプの割当てメッセージから同定されてよく、また、例えば割当てられたメッセージにおける割当てられたスロットと再帰構造におけるトラヒックチャンネルセグメントの間の予め定められたマッピングに従って、アップリンクトラヒックチャンネルセグメントまたはダウンリンクトラヒックチャンネルセグメントの何れかに対応してよい。
【０１６０】
幾つかの実施形態において、前記第一および第二のタイプの割当てメッセージはラヒックチャンネル割当てメッセージである。一つの例示的実施形態において、第一のタイプの割当てメッセージはレギュラー割当てメッセージと称され、第二のタイプの割当てメッセージはフラッシュ割当てと称される。幾つかの実施形態において、第一のタイプの割当てメッセージは、複数の割り当て、例えば三つまでの異なるトラヒックチャンネルセグメントについての割り当てを運ぶことができ、各々のトラヒックチャンネルセグメントは、ときには異なる無線端末に向けられてよい。幾つかの実施形態において、第二のタイプの割当ては、単一のトラヒックチャンネルセグメントについての割当てを運ぶ。
【０１６１】
図１６、図１７および図１８は、種々の実施形態に従う例示的状態遷移信号伝達、トラヒックチャンネル割り当て信号伝達、および再帰チャンネル構造を示している。図１６、図１７および図１８は、種々の実施形態に使用される特徴を示すために、単純化された構造を示している。図１６は、例示的基地局１６０２と複数の無線端末（ＷＴ・Ａ１６０４，ＷＴ・Ｂ：１６０６，ＷＴ・Ｃ１６０８，ＷＴ・Ｄ１６１０，およびＷＴ・Ｅ１６１６）との間の例示的な状態遷移メッセージ信号伝達を示している。基地局１６０２は、図１のシステム１００における基地局の何れかであってよい。ＷＴ（１６０４，１６０６，１６０８，１６１０，１６１２）は、図１のシステム１００の何れのＷＴであってもよい。基地局１６０２は、５ビットＷＴオン識別子フィールド＝１０００１：１６１６およびｗｔＯｎＭａｓｋフィールド＝００：１６１８を含む状態遷移メッセージ１６１４を、ＷＴ・Ａ１６０４へと送信する。ＷＴ・Ａ：１６０４はメッセージ１６１４を受信し、それがＷＴオンＩＤ＝１０００１、ＷＴオンマスク＝００１を割当てられており、第一のオン動作モード、例えば分割トーンフォーマットＤＣＣＨモードで動作されるべきことを決定する。基地局１６０２は、５ビットＷＴオン識別子フィールド＝１０００１：１６２２およびｗｔＯｎＭａｓｋフィールド＝０１：１６２４を含む状態遷移メッセージ１６２０を、ＷＴ・Ｂ１６０６へと送信する。ＷＴ・Ｂ：１６０６はメッセージ１６２０を受信し、またそれがＷＴオンＩＤ＝１０００１、ＷＴオンマスク＝０１０を割当てられており、また第一のオンモード動作、例えば分割トーンフォーマットＤＣＣＨモードで動作されるべきことを決定する。基地局１６０２は、５ビットＷＴオン識別子フィールド＝１０００１：１６２８およびＷｔＯＮＭａｓｋフィールド＝１０：１６３０を含む状態遷移メッセージ１６２６を、ＷＴ・Ｃ：１６０８へと送信する。ＷＴ・Ｃ：１６０８はメッセージ１６２６を受信し、それがＷＴオンＩＤ＝１０００１、ＷＴオンマスク＝１００を割当てられていること、および第一のオンモード動作、例えば分割トーンフォーマットＤＣＣＨモードで動作すべきであることを決定する。基地局１６０２は、５ビットＷＴオン識別子フィールド＝１００１０：１６３４およびＷｔＯＮＭａｓｋフィールド＝１１：１６３６を含む状態遷移メッセージ１６３２を、ＷＴ・Ｄ１６１０へと送信する。ＷＴ・Ｄ１６１０は該メッセージ１６３２を受信し、それがＷＴオンＩＤ＝１００１０、ＷＴオンマスク＝１１１を割当てられていること、および第二のオンモード動作、例えばフルトーンフォーマットＤＣＣＨモードで動作すべきであることを決定する。基地局１６０２は、５ビットＷＴオン識別子フィールド＝１１０１０：１６４０およびＷｔＯＮＭａｓｋフィールド＝００：１６４２を含む状態遷移メッセージ１６３８を、ＷＴ・Ｅ１６１２へと送信する。ＷＴ・Ｅ１６１２は該メッセージ１６３８を受信し、それがＷＴオンＩＤ＝１１０００、ＷＴオンマスク＝００１を割当てられていること、および第一のオンモード動作、例えば分割トーンフォーマットＤＣＣＨモードで動作すべきであることを決定する。
【０１６２】
図１７は、図１６の基地局１６０２および無線端末（１６０４，１６０６，１６０８，１６１０，１６１２）によって使用されてよい例示的再帰チャンネル構造を示す図１７００である。縦軸１７０２は、論理チャンネル構造における周波数を表すのに対して、横軸１７０４は時間を表す。チャンネル構造に属する情報は、これら基地局および無線端末によって保存され、使用される。この例示的チャンネル構造において、各インデックスされたトラヒックチャンネルセグメントは、予め定められた関係によって割当てメッセージにおける割り当てスロットに対応し、また二つのタイプの割当てメッセージが存在する。第一のタイプの割当てメッセージ、例えばレギュラー割当てメッセージは、二つの割当てのためのスロットを有しているのに対して、第二のタイプの割当てメッセージ、例えばフラッシュタイプの割当てメッセージは、単一のトラヒックチャンネルセグメントのための割り当てを運ぶ。幾つかの実施形態において、第二のタイプの割当ては、第一のタイプの割当よりも高い電力レベルで送信される。
【０１６３】
この例示的実施形態は、１０のインデックスされたトラヒックチャンネルセグメント（トラヒックチャンネルセグメント０：１７１８，トラヒックチャンネルセグメント１：１７２０，トラヒックチャンネルセグメント２：１７２２，トラヒックチャンネルセグメント３：１７２４，トラヒックチャンネルセグメント４：１７２６，トラヒックチャンネルセグメント５：１７２８，トラヒックチャンネルセグメント６：１７３０，トラヒックチャンネルセグメント７：１７３２，トラヒックチャンネルセグメント８：１７３４，トラヒックチャンネルセグメント９：１７３６）、四つのタイプ１割当てメッセージ（タイプ１割当てメッセージ１：１７０８，タイプ１割当てメッセージ２：１７１０，タイプ１割当てメッセージ３：１７１４，タイプ１割当てメッセージ４：１７１６）、および二つのタイプ２割当てメッセージ（タイプ２割当てメッセージ１：１７０６，タイプ２割当てメッセージ２：１７１２）を含んでいる。
【０１６４】
タイプ２割当てメッセージ１：１７０６は、トラヒックチャンネルセグメント０：１７１８のための割当てを運ぶ。トラヒックチャンネルセグメント０は、第二の動作モードにある無線端末、またはＷＴオンマスク＝００１を割当てられた第一の動作モードにある無線端末に割当てられることができる。
【０１６５】
タイプ１の割当てメッセージ１：１７０８は、トラヒックチャンネルセグメント１：１７２０のための割当て、およびトラヒックチャンネルセグメント２：１７２２のための割当てを運ぶ。トラヒックチャンネルセグメント１：１７２０は、第二の動作モードにある無線端末、またはＷＴオンマスク＝００１もしくは０１０を割当てられた第一の動作モードにある無線端末に割当てられることができる。トラヒックチャンネルセグメント２：１７２２は、第二の動作モードにある無線端末、またはＷＴオンマスク＝００１もしくは１００を割当てられた第一の動作モードにある無線端末に割当てられることができる。
【０１６６】
タイプ１割当てメッセージ２：１７１０は、トラヒックチャンネルセグメント３：１７２４のための割当て、およびトラヒックチャンネルセグメント４：１７２６のための割当てを運ぶ。トラヒックチャンネルセグメント３：１７２４は、第二の動作モードにある無線端末、またはＷＴオンマスク＝０１０もしくは１００を割当てられた第一の動作モードにある無線端末に割当てられることができる。トラヒックチャンネルセグメント４：１７２６は、第二の動作モードにある無線端末、またはＷＴオンマスク＝００１もしくは１００を割当てられた第一の動作モードにある無線端末に割当てられることができる。
【０１６７】
タイプ２割当てメッセージ２：１７１２は、トラヒックチャンネルセグメント５：１７２８のための割当てを運ぶ、トラヒックチャンネルセグメント５は、第二の動作モードにある無線端末、またはＷＴオンマスク＝０１０を割当てられた第一の動作モードにある無線端末に割当てられることができる。
【０１６８】
タイプ１割当てメッセージ３：１７１４は、トラヒックチャンネルセグメント６：１７３０のための割当ておよびトラヒックチャンネルセグメント７：１７３２のための割当てを運ぶ。トラヒックチャンネルセグメント６：１７３０は、第二の動作モードにある無線端末、またはＷＴオンマスク＝００１もしくは０１０を割当てられた第一の動作モードにある無線端末に割当てられることができる。トラヒックチャンネルセグメント７：１７３２は、第二の動作モードにある無線端末、またはＷＴオンマスク＝１００もしくは０１０を割当てられた第一の動作モードにある無線端末に割当てられることができる。
【０１６９】
タイプ１割当てメッセージ４：１７１６は、トラヒックチャンネルセグメント８：１７３４のための割当ておよびトラヒックチャンネルセグメント９：１７３６のための割当てを運ぶ。トラヒックチャンネルセグメント８：１７３４は、第二の動作モードにある無線端末、またはＷＴオンマスク＝００１もしくは０１０を割当てられた第一の動作モードにある無線端末に割当てられることができる。トラヒックチャンネルセグメント９：１７３６は、第二の動作モードにある無線端末、またはＷＴオンマスク＝００１もしくは１００を割当てられた第一の動作モードにある無線端末に割当てられることができる。
【０１７０】
図１８は、図１７の例示的トラヒックチャンネルセグメントの各々についての例示的割り当てを示す図１８００である。図１８は、図１６の状態遷移メッセージ信号伝達および図１７の構造を介して確立された構成を考慮して、例示的割当てメッセージにおいて運ばれる情報を示している。割当ては基地局によって決定され、無線端末へと通信される。無線端末は割当て信号を受信および処理し、特定の割当てがそれ自身に向けられているか否かを決定する。
【０１７１】
基地局１６０２は、ブロック１８１８によって示されるように、トラヒックチャンネルセグメント０をＷＴ・Ａ１６０４に割当てるように決定しており、またブロック１８０６に示すように、対応する割当てメッセージの中に５ビットのＷＴ識別子＝１０００１を含める。基地局１６０２は、ブロック１８２０によって示されるように、トラヒックチャンネルセグメント１をＷＴ・Ｂ１６０６に割当てるように決定しており、またブロック１８０８に示されるように、対応する割当てエメッセージの中に５ビットのＷＴ識別子＝１０００１および１ビットのＷＴマスク識別子＝１を含める。基地局１６０２は、ブロック１８２２によって示されるように、トラヒックチャンネルセグメント２をＷＴ・Ｄ１６１０に割当てるように決定しており、またブロック１８０８に示されるように、対応する割当てエメッセージの中に、５ビットのＷＴ識別子＝１００１０、および気にするな条件を備えた１ビットのＷＴマスク識別子フィールド、ＷＴマスク識別子フィールドにおける０または１０または１を含める。
【０１７２】
基地局１６０２は、ブロック１８２４によって示されるように、トラヒックチャンネルセグメント３をＷＴ・Ｃ１６０８に割当てるように決定しており、またブロック１８１０に示すように、対応する割当てメッセージの中に５ビットのＷＴ識別子＝１０００１、および１ビットのｗｔマスク識別子＝１を含める。基地局１６０２は、ブロック１８２６によって示されるように、トラヒックチャンネルセグメント１をＷＴ・Ｄ１６１０に割当てるように決定しており、またブロック１８１０に示されるように、対応する割当てエメッセージの中に、５ビットのＷＴ識別子＝１００１０、および気にするな条件を備えた１ビットのＷＴマスク識別子フィールドを含める。
【０１７３】
基地局１６０２は、ブロック１８２８によって示されるように、トラヒックチャンネルセグメント５をＷＴ・Ｄ１６１０に割当てるように決定しており、またブロック１８２８に示すように、対応する割当てメッセージの中に５ビットのＷＴ識別子＝１００１０を含める。基地局１６０２は、ブロック１８３０によって示されるように、トラヒックチャンネルセグメント６をＷＴ・Ｂ１６０６に割当てるように決定しており、またブロック１８１４に示されるように、対応する割当てエメッセージの中に５ビットのＷＴ識別子＝１０００１および１ビットのＷＴマスク識別子＝１を含める。基地局１６０２は、ブロック１８３２によって示されるように、トラヒックチャンネルセグメント７をＷＴ・Ｃ１６０８に割当てるように決定しており、またブロック１８１４に示されるように、対応する割当てエメッセージの中に、５ビットのＷＴ識別子＝１０００１および１ビットのＷＴマスク識別子＝０を含める。
【０１７４】
基地局１６０２は、ブロック１８３４によって示されるように、トラヒックチャンネルセグメント８をＷＴ・Ａ１６０４に割当てるように決定しており、またブロック１８１６に示すように、対応する割当てメッセージの中に５ビットのＷＴ識別子＝１０００１および１ビットのＷＴマスク識別子＝０を含める。基地局１６０２は、ブロック１８３６によって示されるように、トラヒックチャンネルセグメント９をＷＴ・Ｅ１６１２に割当てるように決定しており、またブロック１８１６に示されるように、対応する割当てエメッセージの中に５ビットのＷＴ識別子＝１１０００および１ビットのＷＴマスク識別子＝０を含める。
【０１７５】
なお、この例示的実施形態において、割当てセグメントは、チャンネル構造に従って、トラヒックチャンネルセグメントへの予め定められたマッピングを有している；従って、 種々の実施形態において、該割当てメッセージは割当てが対応するセグメントのインデックスを同定するフィールドを含む必要がなく、また種々の実施形態ではこれを含んでいない。無線端末は、再帰タイミング構造における該割当ての位置、たとえば周波数、時間、および／または割当てスロット位置によって、割当てが対応する特定のトラヒックセグメントを決定することができる
種々の実施形態の技術は、ソフトウエア、ハードウエア、および／またはソフトウエアとハードウエアの組合せを使用して実施してよい。種々の実施形態は装置、例えばモバイル端末のようなモバイルノード、基地局、通信システムに向けられている。種々の実施形態はまた、方法、例えばモバイルノード、基地局およびまたは通信システム、例えばホストを制御および／または動作させる方法に向けられている。種々の実施形態はまた、方法の１以上のステップを実施するように機械を制御するための機械読取り可能な命令を含んだ機械読み取り可能な媒体、例えばＲＯＭ、ＲＡＭ、ＣＤ、ハードディスク等に向けられている。
【０１７６】
種々の実施形態において、ここに記載するノードは、１以上の方法に対応するステップ、例えば信号処理、メッセージ発生および／または送信のステップを行うための、１以上のモジュールを使用して実施される。従って、幾つかの実施形態においては、モジュールを使用して種々の特徴が実施される。しかし、斯かるモジュールは、ソフトウエア、ハードウエアまたはソフトウエアとハードウエアの組合せを使用して実施されてよい。上記で述べた方法または方法ステップの多くは、例えば１以上のノードにおいて、上記で述べた方法の全部または一部を実施するために、機械、例えば追加のハードウエアを備えたまたは備えない汎用コンピュータを制御するための、メモリー装置、例えばＲＡＭ、フロッピー（登録商標）ディスク等のような機械読取り可能な媒体に含められたソフトウエアのように、機械で実行可能な命令を使用して実施することができる。従って、特に、種々の実施形態は、機械、例えばプロセッサおよび関連のハードウエアに対して上記で述べた方法の１以上のステップを実行させるための、機械で実施可能な命令を含んだ機械読取り可能な媒体に向けられる。
【０１７７】
ＯＦＤＭシステムに関して説明したが、少なくとも幾つかの方法および装置は、多くの非ＯＦＤＭおよび／または非セルラーシステムを含む広範な通信システムに適用可能である。
【０１７８】
上記の説明を考慮すれば、上記で述べた方法および装置に対する多くの追加の変形例が当業者には明らかであろう。このような変形例は本発明の範囲内にあると見なされるべきである。方法および装置は、ＣＤＭＡ、直交周波数分割多重化（ＯＦＤＭ）、および／または、アクセスノードとモバイルノードの間の無線通信リンクを提供するために使用され得る他の種々のタイプの通信技術と共に使用されてよく、また種々の実施形態においてはこれらと共に使用される。幾つかの実施形態において、アクセスノードは、ＯＦＤＭおよび／またはＣＤＭＡを使用してモバイルノードとの通信リンクを樹立する基地局として実施される。種々の実施形態において、該モバイルノードはノートブックコンピュータ、パーソナルデータアシスタント（ＰＤＡ）、または当該方法を実施するための受信機／送信機回路並びに論理および／またはルーチンを含む他の携帯装置として実施される。
【図１】
2009544235.tif 000003
【図２】
2009544235.tif 000004
【図３】
2009544235.tif 000005
【図４】
2009544235.tif 000006
【図５】
2009544235.tif 000007
【図６】
2009544235.tif 000008
【図６Ａ】
2009544235.tif 000009
【図６Ｂ】
2009544235.tif 000010
【図６Ｃ】
2009544235.tif 000011
【図７】
2009544235.tif 000012
【図８】
2009544235.tif 000013
【図８Ａ】
2009544235.tif 000014
【図８Ｂ】
2009544235.tif 000015
【図８Ｃ】
2009544235.tif 000016
【図９】
2009544235.tif 000017
【図１０】
2009544235.tif 000018
【図１１】
2009544235.tif 000019
【図１１Ａ】
2009544235.tif 000020
【図１１Ｂ】
2009544235.tif 000021
【図１１Ｃ】
2009544235.tif 000022
【図１２】
2009544235.tif 000023
【図１３】
2009544235.tif 000024
【図１４】
2009544235.tif 000025
【図１５】
2009544235.tif 000026
【図１６】
2009544235.tif 000027
【図１７】
2009544235.tif 000028
【図１８】
2009544235.tif 000029
【国際調査報告】
2009544235.tif 000030
2009544235.tif 000031